(57)【要約】  エアークリーナアセンブリとそのコンポーネントが記載され図示されている。また組立方法や使用方法もまた記載され図示されている。例示のエアークリーナアセンブリが図示されている。ハウジング内の適所位置にフィルタカートリッジを固定するための突起／受容部構成物が記載されている。またフィルタカートリッジをハウジングにシールするためのシール構成物と特別なハウジングの特徴とフィルタカートリッジの特徴も記載されている。
2009541643.tif 000002
【特許請求の範囲】
【請求項１】
エアフィルタカートリッジであって、
（ａ）入口流れ面と対向する出口流れ面とを有する媒体パックであって、
（i）前記入口流れ面と前記出口流れ面との間で延びている複数の縦溝流路を有し、
（ii）前記入口流れ面と前記出口流れ面との間で、前記媒体パックを通る濾過されていない空気が通り抜けないように閉じている、前記媒体パックと、
（ｂ）前記出口流れ面に隣接しかつ半径方向の外側に向けられた半径方向シール表面を含むシール部材と、
（ｃ）前記入口流れ面に隣接する前記媒体パック上に配置されたプリフォーム支持体であって、
（i）前記プリフォーム支持体上に第１突起/受容部構成物の第１部材を含み、前記第１部材が非平行な部分を有しかつ互いに分かれる第１側壁部と第２側壁部とを有する、前記プリフォーム支持体と、
を有することを特徴とするエアーフィルタカートリッジ。
【請求項２】
（ａ）前記第１突起/受容部構成物の第１突起部材の第１側壁部と第２側壁部とは、前記入口流れ面に向かって伸び互いに分かれることを特徴とする請求項１に記載のエアフィルタカートリッジ。
【請求項３】
（ａ）前記媒体パックは、複数の曲線状側端部と対向する複数の側部とを有する楕円形の外側周囲形状を有し、
（ｂ）前記第１側壁部と第２側壁部は、前記楕円形の外側周囲形状の前記複数の曲線状側端部の１つに向かって伸び互いに分かれることを特徴とする請求項１に記載のエアフィルタカートリッジ。
【請求項４】
（ａ）前記媒体パックは、対面シートに固定されかつ前記対面シートを外側に向けた状態で巻き付けられている縦溝流路付きシートを有することを特徴とする請求項１乃至３のいずれか１項に記載のエアフィルタカートリッジ。
【請求項５】
（ａ）前記媒体パックは、対向する第１直線状側部と第２直線状側部と、対向する第１曲線状側端部および第２曲線状側端部とを有することを特徴とする請求項１乃至４のいずれか１項に記載のエアフィルタカートリッジ。
【請求項６】
（ａ）前記プリフォーム支持体は、前記媒体パックの曲線状側端部との重なり部に配置されたハンドル部材を有することを特徴とする請求項５に記載のエアフィルタカートリッジ。
【請求項７】
（ａ）前記第１突起/受容部構成物の第１部材の第１突起部材は、前記第１側壁部上に前記第２側壁部から離れる方向に延びている第１固定先端を含むことを特徴とする請求項１または請求項２に記載のエアフィルタカートリッジ。
【請求項８】
（ａ）前記媒体パックは、対向する第１側部と第２側部と、対向する第１曲線状端部と第２曲線状端部とを有し、
（ｂ）前記第１固定先端は、前記第１曲線状端部に向かって延びていることを特徴とする請求項７に記載のエアフィルタカートリッジ。
【請求項９】
（ａ）前記プリフォーム支持体は、前記プリフォーム支持体上に第２突起/受容部構成物の第１突起部材を含み、前記第２突起/受容部構成物の第１突起部材が非平行な部分を有しかつ互いに分かれる第１側壁部と第２側壁部とを有することを特徴とする請求項１乃至８のいずれか１項に記載のエアフィルタカートリッジ。
【請求項１０】
（ａ）前記第２突起/受容部構成物の第１突起部材は、前記第１突起/受容部構成物の第１突起部材の鏡像として形成されて配置され、前記媒体パックがそれらの間に配置されることを特徴とする請求項９に記載のエアフィルタカートリッジ。
【請求項１１】
エアフィルタカートリッジであって、
（ａ）入口流れ面と対向する出口流れ面と、対向する第１側部と第２側部と対向する第１曲線状側端部と第２曲線状側端部とを有する楕円形の外側周囲形状と、を有する媒体パックであって、
（i）前記入口流れ面と前記出口流れ面との間で延びている複数の縦溝流路と、
（ii）前記入口流れ面と前記出口流れ面との間で、前記媒体パックを通る濾過されていない空気が通り抜けないように閉じている、前記媒体パックと、
（ｂ）半径方向の外側方向に向けられた半径方向シール表面を含み、かつ前記出口流れ面に隣接して配置されているシール部材と、
（ｃ）前記入口流れ面の１００ｍｍ以内の位置で前記媒体パック上に配置された第１突起／受容部構成物の第１部材であって、
（i）隣接する前記媒体パックから外側方向に延びている第１突起部材であって、
（Ａ）前記入口流れ面と前記出口流れ面との間に一般的に向けられた第１突起壁セグメントと、
（Ｂ）前記入口流れ面と前記出口流れ面との間を横切る方向に一般的に向けられた部分を持つ第２突起壁セグメントと、のうちの少なくとも１つを有する、前記第１突起部材を含む、前記第１部材と、
を有することを特徴とするエアフィルタカートリッジ。
【請求項１２】
（ａ）前記第１突起部材は、前記第１突起壁セグメントと前記第２突起壁セグメントの両方を含むことを特徴とする請求項１１に記載のエアフィルタカートリッジ。
【請求項１３】
（ａ）前記第１突起壁セグメントと前記第２突起壁セグメントは、中央頂点で互いに接合していることを特徴とする請求項１２に記載のエアフィルタカートリッジ。
【請求項１４】
（ａ）前記第１突起壁セグメントと前記第２突起壁セグメントは、前記入口流れ面に向かって伸び互いに分かれることを特徴とする請求項１１乃至１３のいずれか１項に記載のエアフィルタカートリッジ。
【請求項１５】
（ａ）前記第１突起/受容部構成物の第１部材は、前記第１曲線状側端部と第２曲線状側端部のうちの１つに向かって伸び互いに分かれるように配置された、第１側壁セグメントと第２側壁セグメントとを有することを特徴とする請求項１１に記載のエアフィルタカートリッジ。
【請求項１６】
（ａ）前記媒体パックは、対面シートに固定されかつ前記対面シートを外側に向けた状態で巻き付けられている縦溝流路付きシートを有することを特徴とする請求項１１乃至１５のいずれか１項に記載のエアフィルタカートリッジ。
【請求項１７】
（ａ）前記媒体パックは、対向する第１直線状側部と第２直線状側部とを持つ楕円形構成物を有することを特徴とする請求項１６に記載のエアフィルタカートリッジ。
【請求項１８】
（ａ）前記シール部材は、前記出口流れ面に隣接して配置されているシール支持体上に支持されていることを特徴とする請求項１７に記載のエアフィルタカートリッジ。
【請求項１９】
（ａ）前記第１突起部材は、前記媒体パックの第１側部に隣接して配置され、
（ｂ）前記エアフィルタカートリッジは、第２突起/受容部構成物の第１部材を有し、
（i）前記第２突起/受容部構成物の第１部材は、隣接する前記媒体パックの第２側部から外側に突き出ている第１突起部材を有し、
（ii）前記第１突起部材は、
（Ａ）前記入口流れ面と前記出口流れ面との間に一般的に向けられた第１突起壁セグメントと、
（Ｂ）前記入口流れ面と前記出口流れ面との間を横切る方向に一般的に向けられた部分を持つ第２突起壁セグメントと、のうちの少なくとも１つを有することを特徴とする請求項１７に記載のエアフィルタカートリッジ。
【請求項２０】
（ａ）前記第２突起/受容部構成物の第１部材の第１突起部材は、前記第１突起/受容部構成物の第１部材の第１突起部材の鏡像として形成されて配置されていることを特徴とする請求項１９に記載のエアフィルタカートリッジ。
【請求項２１】
（ａ）前記入口流れ面に隣接する前記媒体パックの周辺部に延びているプリフォーム支持体を有し、
（i）前記第１突起/受容部構成物の第１部材の第１突起部材は、前記プリフォーム支持体の残りの部分と一体化された部分を有し、
（ii）前記プリフォーム支持体は、前記入口流れ面から前記出口流れ面までの距離の５０％未満で延びていることを特徴とする請求項１１乃至２０のいずれか１項に記載のエアフィルタカートリッジ。
【請求項２２】
エアクリーナアセンブリであって、
（ａ）アクセスカバーと、空気流れの入口部と、空気流れの出口部と、前記空気流れの入口部と前記空気流れの出口部との間の基本フィルタカートリッジ収容部と、基本フィルタカートリッジの半径方向シール表面とを有し、かつ内部を画定するハウジングと、
（ｂ）前記入口流れ面と前記出口流れ面とを有する媒体パックを有し、前記ハウジング内に配置された第１の取外しと取替え可能な基本フィルタカートリッジであって、
（i）前記媒体パックが、前記入口流れ面と前記出口流れ面との間で延びている複数の縦溝流路を含み、
（ii）前記媒体パックが、前記入口流れ面と前記出口流れ面との間で前記媒体パックを通る濾過されていない空気が通り抜けないように閉じており、
（iii）前記基本フィルタカートリッジの半径方向をシールするハウジング表面と前記基本フィルタカートリッジ上で半径方向をシールして係合するハウジングシール部材を含む、前記基本フィルタカートリッジと、
（ｃ）第１静止突起/受容部構成物であって、
（i）前記ハウジングの第１内部壁に固定され、少なくとも第１側壁部と第２側壁部とを有し、前記第１側壁部と第２側壁部の間に受容部空間を画定するする第１受容部部材であって、
（Ａ）前記第１受容部部材の第１側壁部と第２側壁部とが互いに非平行である、前記第１受容部部材と、
（ii）前記第１の取外しと取替え可能な基本フィルタカートリッジ上に配置され、前記第１受容部部材の第１側壁部と第２側壁部との間の受容部空間内の少なくとも一部に配置されている第１突起部材とを含む、前記第１静止突起/受容部構成物と、
を有することを特徴とするエアクリーナアセンブリ。
【請求項２３】
（ａ）前記第１突起/受容部構成物の第１突起部材は、互いに非平行な少なくとも第１側壁部と第２側壁部とを含むことを特徴とする請求項２２に記載のエアクリーナアセンブリ。
【請求項２４】
（ａ）前記アクセスカバーは、前記第１突起/受容部構成物の第１突起部材が、前記第１突起/受容部構成物の第１受容部部材に対して設置された位置から傾かないように配置されていることを特徴とする請求項２２または請求項２３に記載のエアクリーナアセンブリ。
【請求項２５】
（ａ）前記第１突起部材は、前記フィルタカートリッジの前記出口流れ面に向かって配置された頂点領域を有するＶ字形と、
（ｂ）前記第１受容部部材の第１側壁部と第２側壁部は、前記ハウジングの入口部に向かって伸び互いに分かれることを特徴とする請求項２２乃至２４のいずれか１項に記載のエアクリーナアセンブリ。
【請求項２６】
（ａ）第２突起/受容部構成物は、
（i）前記第１内部壁から前記ハウジングの対向する内部壁に固定され、前記第１内部壁と前記内部壁の間に前記第１の取外しと取替え可能なフィルタカートリッジを持つ第１静止受容部部材であって、
（Ａ）前記第２突起/受容部構成物の第１受容部部材が、第１側壁部と第２側壁部とを有し、前記第１側壁部と第２側壁部の間に受容部空間を画定し、
（１）前記第２突起/受容部構成物の第１側壁部と第２側壁部とが互いに非平行である、前記第１静止受容部部材と、
（ii）前記第１の取外しと取替え可能な基本フィルタカートリッジ上に配置され、かつ前記第２突起/受容部構成物の第１受容部部材の第１壁部と第２壁部との間の少なくともその一部に配置された第１突起部材と、
を有することを特徴とする請求項２２乃至２５のいずれか１項に記載のエアクリーナアセンブリ。
【請求項２７】
（ａ）前記第２突起/受容部構成物の第１突起部材は、前記フィルタカートリッジの前記出口流れ面方向に向かって配置された頂点領域を有するＶ字形を有し、
（ｂ）前記第２突起/受容部構成物の第１受容部部材の第１側壁部と第２側壁部とは、前記ハウジングの前記入口部に向かって伸び互いに分かれることを特徴とする請求項２６に記載のエアクリーナアセンブリ。
【請求項２８】
（ａ）前記アクセスカバーは、前記第２突起/受容部構成物の第１突起部材が、前記第２突起/受容部構成物の第１受容部部材に対して設置された位置から傾かないように配置された第２支持体構成物を含むことを特徴とする請求項２６または請求項２７に記載のエアクリーナアセンブリ。
【請求項２９】
（ａ）前記第１突起/受容部構成物は、前記第１静止受容部部材と、前記第１受容部部材から間隔を開けて配置された前記ハウジングの第１内部壁上に配置された第２静止受容部部材と、を有し、
（i）前記第１突起/受容部構成物の第２受容部部材は、第１側壁部と第２側壁部とを有し、前記第１側壁部と第２側壁部の間に受容部空間を画定し、
（Ａ）前記第１突起/受容部構成物の第２受容部部材の第１側壁部と第２側壁部とは、互いに非平行であり、
（ｂ）前記第１突起/受容部構成物は、前記第１突起/受容部構成物の第１突起部材として前記第１の取外しと取替え可能なフィルタカートリッジの同じ側部上に配置され、かつ前記第１突起/受容部構成物の第１突起部材から間隔を空けて配置される第２突起部材を含み、
（i）前記第２突起部材は、前記フィルタ突起/受容部構成物の第２受容部部材の第１側壁部と第２側壁部との間の受容部空間内の少なくともその一部に配置されることを特徴とする請求項２２乃至請求項２８のいずれか１項に記載のエアクリーナアセンブリ。
【請求項３０】
（ａ）前記第１突起/受容部構成物の第２突起部材は、頂点領域が前記フィルタカートリッジの前記出口流れ面方向に向かって配置されたＶ字形を有し、
（ｂ）前記第１突起/受容部構成物の第２受容部部材の第１側壁部と第２側壁部とは、前記ハウジングの前記入口部に向かって伸び互いに分かれることを特徴とする請求項２９に記載のエアクリーナアセンブリ。
【請求項３１】
（ａ）前記第１突起/受容部構成物は、前記第１受容部部材と、前記第１受容部部材から前記ハウジングの第１内部壁上に互いに間隔をおいて配置されている、第２静止受容部部材とを含み、
（i）前記第１突起/受容部構成物の第２受容部部材は、第１側壁部と第２側壁部とを有し、前記第１側壁部と第２側壁部の間に受容部空間を画定し、
（Ａ）前記第１突起/受容部構成物の第２受容部部材の第１側壁部と第２側壁部とは、互いに非平行であり、
（ｂ）前記第１突起/受容部構成物は、前記第１突起部材として前記第１の取外しと取替え可能なフィルタカートリッジの同じ側部上に間隔を空けて配置された第２突起部材を含み、
（i）前記第２突起部材は、前記フィルタ突起/受容部構成物の第２受容部部材の第１側壁部と第２側壁部との間の受容部空間内の少なくともその一部に配置されており、
（ｃ）前記第２突起/受容部構成物は、前記第１受容部部材と、前記第２突起/受容部構成物の第１受容部部材として前記ハウジングの同じ内部壁上に前記第１受容部部材から間隔を空けて配置されている前記第２突起/受容部構成物の第２静止受容部部材とを含み、
（i）前記第２突起/受容部構成物の第２受容部部材は、第１側壁部と第２側壁部とを有し、前記第１側壁部と第２側壁部の間に受容部空間を画定し、
（Ａ）前記第２突起/受容部構成物の第２受容部部材の第１側壁部と第２側壁部材は、互いに非平行であり、
（ｄ）前記第２突起/受容部構成物は、前記第２突起/受容部構成物の前記第１突起部材として前記第１の取外しと取替え可能なフィルタカートリッの同じ側部上に間隔を空けて配置された第２突起部材を含み、
（i）前記第２突起/受容部構成物の第２受容部部材は、前記第２突起/受容部構成物の第２受容部部材の第１側壁部と第２側壁部との間の受容部空間内の少なくともその一部に配置されていることを特徴とする請求項２６または請求項２７に記載のエアクリーナアセンブリ。
【請求項３２】
（ａ）前記第１突起/受容部構成物の第２突起部材は、頂点領域が前記フィルタカートリッジの前記出口流れ面方向に向かって配置されたＶ字形を有し、
（ｂ）前記第１突起/受容部構成物の第２受容部部材の第１側壁部と第２側壁部とは、前記ハウジングの入口部に向かって伸び互いに分かれており、
（ｃ）前記第２突起/受容部構成物の第２突起部材は、頂点領域が前記フィルタカートリッジの前記出口流れ面に向かって配置されたＶ字形を有し、
（ｄ）前記第２突起/受容部構成物の第２受容部部材の第１側壁部と第２側壁部とは、前記ハウジングの入口部に向かって伸び互いに分かれていることを特徴とする請求項３１に記載のエアクリーナアセンブリ。
【請求項３３】
（ａ）前記第１突起/受容部構成物の第１突起部材は、頂点領域が前記アクセスカバーから分かれてＶ字形を画定する第１側壁部と第２側壁部とを含み、
（ｂ）前記第１突起/受容部構成物の第１受容部部材の第１側壁部と第２側壁部とが前記アクセスカバーに向かって伸び互いに分かれることを特徴とする請求項２２乃至請求項２４のいずれか１項に記載のエアクリーナアセンブリ。
【請求項３４】
（ａ）第２突起/受容部構成物であって、
（i）前記第１突起/受容部構成物の第１受容部部材に対向する前記ハウジングの内部壁に固定され、その間に前記第１の取外しと取替え可能なフィルタカートリッジを持つ第１静止受容部部材であって、
（Ａ）前記第２突起/受容部構成物の第１受容部部材が、第１側壁部と第２側壁部とを有し、前記第１側壁部と第２側壁部との間に受容部空間を画定し、
（１）前記第２突起/受容部構成物の第１受容部部材の第１側壁部と第２側壁部とが互いに非平行である、前記第１静止受容部部材と、
（ii）前記第１の取外しと取替え可能な基本フィルタカートリッジ上に配置され、かつ前記第２突起/受容部構成物の第１受容部部材の第１側壁部と第２壁部との間の少なくともその一部に配置されている第１突起部材とを有する、前記第２突起/受容部構成物と、
を含むことを特徴とする請求項３３に記載のエアクリーナアセンブリ。
【請求項３５】
（ａ）前記第２突起/受容部構成物の第１突起部材は、頂点領域が前記アクセスカバーから分かれてＶ字形を画定する第１側壁部と第２側壁部を含み、
（ｂ）前記第２突起/受容部構成物の第１受容部部材の第１側壁部と第２側壁部は、前記アクセスカバーに向かって伸び互いに分かれていることを特徴とする請求項３４に記載のエアクリーナアセンブリ。
【請求項３６】
（ａ）前記第１突起/受容部構成物の第１突起部材は、前記第１突起/受容部構成物の第１突起部材の第１側壁部と第２側壁部の間に配置された第３壁部を含むことを特徴とする請求項３３乃至請求項３５のいずれか１項に記載のエアクリーナアセンブリ。
【請求項３７】
（ａ）前記第２突起/受容部の第１突起部材は、前記第２突起/受容部構成物の第１突起部材の前記第１側壁部と第２側壁部の間に配置された第３壁部を含むことを特徴とする請求項３４に記載のエアクリーナアセンブリ。
【請求項３８】
エアクリーナアセンブリであって、
（ａ）空気流れの入口部と、空気流れの出口部と、前記空気流れの入口部と前記空気流れの出口部との間の部分の基本フィルタカートリッジ収容部と、前記基本フィルタカートリッジ収容部中に配置された取外し可能なアクセスカバーとを有し、かつ内部を画定するハウジングであって、
（i）前記ハウジングの基本フィルタカートリッジの収容部は、第１突起/受容部構成物の第１静止受容部部材が前記収容部上に第１受容部空間を画定する状態で、側壁部分を含み、
（Ａ）前記第１静止受容部部材は、少なくとも第１側壁部と第２側壁部を有し、前記第１側壁部と第２側壁部の間に受容部空間を画定する、前記ハウジングと、
（ｂ）入口流れ面と対向する出口流れ面とを有する媒体パックを含み、前記ハウジング内に配置された第１の取外しと取替え可能な基本フィルタカートリッジであって、
（i）前記媒体パックが、前記入口流れ面と前記出口流れ面の間で延びている複数の縦溝流路を有し、
（ii）前記媒体パックが、前記入口流れ面と前記出口流れ面との間で前記媒体パックを通る濾過されていない空気が通り抜けないように閉じており、
（iii）前記媒体パックは、前記フィルタカートリッジの出口面に隣接して前記媒体パック上に配置され、かつ前記ハウジングをシールする、ハウジングの半径方向をシールする部材を有する、前記基本フィルタカートリッジと、
（ｃ）前記基本フィルタカートリッジ上に配置され、かつ前記媒体パックに隣接する位置から半径方向の外側方向に突き出ている第１突起部材を含む前記第１突起/受容部構成物の第１部材であって、
（i）前記基本フィルタカートリッジが、前記アクセスカバーが取り除かれるとき、前記ハウジングの基本フィルタカートリッジの収容部内で、設置位置から中または外に、傾けることが可能であり、
（ii）前記アクセスカバーは、前記アクセスカバーが前記ハウジング上に設置されるとき、前記基本フィルタカートリッジが設置された位置から傾くのを防ぐ構造を含む、前記第１部材と、
を含むことを特徴とするエアークリーナアセンブリ。
【請求項３９】
エアクリーナアセンブリであって、
（ａ）空気流れの入口部と、空気流れの出口部と、前記空気流れの入口部と前記空気流れの出口部との間に基本フィルタカートリッジ収容部と、基本フィルタカートリッジの半径方向をシールするハウジング表面とを有し、かつ内部を画定するハウジングと、
（ｂ）入口流れ面と対向する出口流れ面とを有する媒体パックを含み、前記ハウジング内に配置される第１の取外しと取替え可能な基本フィルタカートリッジであって、
（i）前記媒体パックが、前記入口流れ面と前記出口流れ面の間に延びている複数の縦溝流路を有し、
（ii）前記媒体パックが、前記入口流れ面と前記出口流れ面との間で前記媒体パックを通る濾過されていない空気が通り抜けないように閉じており、
（iii）前記基本フィルタカートリッジの半径方向をシールするハウジング表面と前記基本フィルタカートリッジ上で半径方向をシールして係合するハウジングシール部材とを含む、前記基本フィルタカートリッジと、を有し、
（ｃ）前記ハウジングが、前記第１の取外しと取替え可能な基本フィルタカートリッジの周辺部に第１空気流れ環帯を画定し、
（ｄ）前記基本フィルタカートリッジの半径方向をシールするハウジング表面が、前記空気流れの入口部に向かって突き出ている内部フランジを有し、
（i）前記内部フランジが内側表面と外側表面とを有し、
（ii）前記ハウジングシール部材が前記内部フランジの内側表面でシールされており、
（iii）前記内部フランジが、前記ハウジング内部内の前記ハウジングの周囲でかつ前記第１空気流れ環帯と流れ連絡する空気流れの環帯領域を画定することを特徴とするエアークリーナアセンブリ。
【請求項４０】
（ａ）前記媒体パックは対面シートに固定され、前記対面シートが外側に向けられた状態で巻きつけられている縦溝流路付きシートを含むことを特徴とする請求項３９に記載のエアクリーナアセンブリ。
【請求項４１】
（ａ）前記内部フランジは、少なくとも２０ｍｍでかつ４０ｍｍを超えない長さを有することを特徴とする請求項３９に記載のエアクリーナアセンブリ。
【請求項４２】
（ａ）前記基本フィルタカートリッジハウジングシール部材が係合されている前記内部フランジの部分は、５ｍｍ未満の厚さであることを特徴とする請求項３９に記載のエアクリーナアセンブリ。
【請求項４３】
（ａ）前記内部フランジは、少なくとも３ｍｍの基部部分を有し、前記基本フィルタカートリッジハウジングシール部材によって被覆されていないことを特徴とする請求項３９に記載のエアクリーナアセンブリ。
【発明の詳細な説明】
【技術分野】
【０００１】
本開示は、例えば、乗り物および他の装置用のエンジン燃焼空気を浄化するために使用するエアークリーナに関する。本開示は、好ましいコンポーネント、アセンブリ、および方法を提供する。
【背景技術】
【０００２】
本出願は、米国以外の全ての国を指定国とする出願人である米国国内企業であるドナルドソン社と、米国のみを指定国とする出願人である全て米国人であるベブラッドリーＡ．クエンペイ、リチャードＪ．オデンドルフ、ダニエルＥ．アダメルク、ウェインＲ．Ｗ．ビショプ、ネルス・ノードストロム、ジョン・プーラー、ウィイリアム・Ｓ．ウェーランとの名において、国際特許出願として２００７年６月２１日に出願されたものであり、２００６年６月２２日に出願された米国仮特許出願第６０/８１５,７９２号と２００６年６月２１日に出願された米国仮特許出願第６０/８３２,４５６号の優先権を主張する。
【０００３】
関連出願の相互参照
本願のための優先権主張が２００６年７月２１日に出願された米国仮特許出願第６０/８３２,４５６号に適正な範囲までなされる。さらに、本願は、２００６年６月２２日に出願された米国仮特許出願第６０/８１５,７９４号の開示の一部を含んでいる。米国仮特許出願第６０/８１５,７９４号への優先権主張を適正な範囲までなされる。米国仮特許出願第６０/８１５,７９４号と第６０/８３２,４５６号は引用により本明細書に合体される。
【０００４】
ガス流れはしばしばその中に粒子状物質を運ぶ。多くの例では、ガス流量の流れから粒子状物質のいくらかまたは全てを取り除くのは好ましい。例えば、電動式乗り物あるいは電力発生装置のためのエンジンへの空気取入れ口の流れは、その中にしばしば粒子状物質を含んでいる。粒子状物質が含まれるメカニズムの内部機構に達すると、実質的な損害を引き起こす場合がある。したがって、そのようなシステムのために、エンジンあるいは含まれる他の装置のガス流れの上流から粒子状物質を取り除くのが好ましい。さまざまなエアクリーナ構成物が粒子除去のために開発されている。
【０００５】
媒体パックとしてＺ型フィルタ媒体構造物を利用するエアクリーナ構成物を利用するための一般的傾向があった。一般に、媒体パック構成物に形成されたＺ型フィルタ媒体構造物は、対面媒体シート材料に固定された縦溝流路付き媒体シート材料を含むものとして特徴付けることができる。Ｚ型フィルタ構成物の例は、１９９７年１１月６日に公開された国際特許出願公開第９７/４０９１８号公報、米国特許第６,１９０,４３２号と同第６,３５０,２９１号、２００４年３月１７日に出願された国際特許出願第ＰＣＴ/ＵＳ０４/０７９２７号、２００３年１２月２２日に出願された米国仮特許出願第６０/５３２,７８３号、２００３年１１月２０日に公開された国際特許出願公開第０３/０９５０６８号公報、２００４年１月２２日に公開された国際特許出願公開第０４/００７０５４号公報、２００３年１０月１６日に公開された国際特許出願公開第０３/０８４６４１号公報、２００４年２月１１日に出願された米国仮特許出願第６０/５４３,８０４号に説明され、それぞれの完全な開示は本明細書中に引用して合体される。
【先行技術文献】
【特許文献】
【０００６】
【特許文献１】国際特許出願公開第９７/４０９１８号公報
【特許文献２】米国特許第６,１９０,４３２号
【特許文献３】米国特許第６,３５０,２９１号
【特許文献４】国際特許出願第ＰＣＴ/ＵＳ０４/０７９２７号
【特許文献５】米国仮特許出願第６０/５３２,７８３号
【特許文献６】国際特許出願公開第０３/０９５０６８号
【特許文献７】国際特許出願公開第０４/００７０５４号
【特許文献８】国際特許出願公開第０３/０８４６４１号公報
【特許文献９】米国仮特許出願第６０/５４３,８０４号
【発明の概要】
【発明が解決しようとする課題】
【０００７】
いくつかの配置とともに、Ｚ型フィルタ媒体がハウジングの側部を通って（端部とは違って）エアクリーナハウジング内に充填される構成物を開発することが望まれている。そのような配置は、例えば、本明細書中に引用により合体される国際特許出願公開第０３/０９５０６８号で説明される。
【０００８】
本明細書に記載されている選択されたコンポーネントは、２００４年４月３０日に出願された米国仮特許出願第６０/５６７,１２１号、２００４年８月２５日に出願された米国仮特許出願第６０/６０４,５４９号、２００５年２月１日に出願された米国仮特許出願第６０/６４９,３０１号、および２００５年１１月１７日に公開された国際特許出願公開第０５/１０７９２４号に記載されたようなエアクリーナ配置における改良である。これらは、それぞれ本明細書に引用により合体される。
【課題を解決するための手段】
【０００９】
本開示は、エアクリーナとそのためのコンポーネントに関係する。さまざまな特徴およびコンポーネントの特徴は、点検可能なフィルタカートリッジを含むエアクリーナとそのコンポーネントに対して記載されている。本明細書に記載されている選択された特徴は、基本フィルタカートリッジの安全な取り付けを容易にするためのエアクリーナハウジングの特徴、および、そのようなハウジング中での取り付けを容易にする基本フィルタカートリッジの特徴に関する。
【００１０】
本明細書に記載された特徴の全てが構成物中に組み込まれる必要がなく、その構成物は本開示に基づくいくらかの選択された利点を持つことが注目される。
【図面の簡単な説明】
【００１１】
【図１】本開示に基づく配置で使用可能な例示のＺ型フィルタ媒体の概略的部分斜視図である。
【図２】図１に図示された媒体の一部の概略的拡大断面図である。
【図３】様々な波形媒体の定義の例示を示す概略図である。
【図４】図１に基づく例示の媒体の製造ために使用可能なプロセスの概略図である。
【図５】本開示に基づく配置で使用可能な例示の媒体縦溝流路のためのオープションの端部ダーツの概略的拡大面図である。
【図６】本開示に基づくエアクリーナの取り付けのために構成された第１フィルタカートリッジの概略的平面図である。
【図７】図６に基づくフィルタカートリッジのバリエーションの概略的部分断面図である。
【図８】図６に基づくフィルタカートリッジで使用可能な別のハウジングシールコンポーネントの概略的部分断面図である。
【図９】図６に基づくフィルタカートリッジで使用可能な別のシールコンポーネントの概略的部分断面図である。
【図１０】図６のフィルタカートリッジを示す概略的部分断面図である。
【図１１】図６のフィルタカートリッジの例示の取り付けの間に、設置者に面する側部に向かう概略的側面図である。
【図１２】図６、図１１で示されたフィルタカートリッジの概略的端面図である。
【図１３】図６、図１１、図１２で示されたフィルタカートリッジの図１２に対向する端部に向かう概略的端面図である。
【図１４】図６と図１１〜図１３に基づくフィルタカートリッジを使用するエアクリーナ構成物の概略的斜視図である。
【図１５】図１４と一般的に対応するエアクリーナの概略的側部の断面図であるが、入口部が修正され、アクセスカバーが取り外された図である。
【図１６】図６に一致するフィルタカートリッジを設置した図１５に示されたエアクリーナの概略的断面図である。
【図１７】図１６の線１７−１７に沿って得られる概略的部分断面図である。
【図１８】図１７の一部の部分拡大断面図である。
【図１９】図１６の一部の概略的部分拡大断面図である。
【図２０】図１４に示されたのと別のエアクリーナの概略的側面図であり、フィルタカートリッジの垂直方向に側部への取り付けのために配置されている図である。
【図２１】図２０に示されたエアクリーナの入口端面図である。
【図２２】図２１の線２２−２２に沿って得られるエアクリーナの概略的断面図であり、内部に収容されたフィルタカートリッジの部分だけが見えている図である。
【図２３】図２２の一部の部分拡大断面図である。
【図２４】図２３に対応するエアクリーナの一部の概略的部分拡大図であり、取り外されたフィルタカートリッジを有するエアクリーナハウジングを示す図である。
【図２５】図２０のエアクリーナの一部の概略的側面図であり、アクセスカバーが取り外された図である。
【図２６】図２５の一部の概略的部分拡大図である。
【図２７】図２５の一部の端面図である。
【図２８】図２７の一部の部分拡大断面図である。
【図２９】図２０〜図２８のエアクリーナ中に設置可能なフィルタカートリッジの側面図である。
【図３０】図２９の一部の概略的部分拡大図である。
【図３１】図２９に図示されたフィルタカートリッジの概略的入口端面図である。
【図３２】本開示に一致する別のエアクリーナの側部の部分拡大図である。
【図３３】図２３に一般的に類似する部分断面図であり、図３２のエアクリーナの内部の一部が取られた、フィルタカートリッジの一部が示されている図である。
【発明を実施するための形態】
【００１２】
I．概論的なＺ型フィルタ媒体構造物
縦溝流路付きフィルタ媒体は、流体フィルタ構造物を種々の方法で提供するために使用することができる。良く知られた１つの方法は、Ｚ型フィルタ構造物である。本明細書で使用するような用語「Ｚ型フィルタ構造物（z-filter construction）」は、フィルタ構造物を指し、この構造物では、波形に加工された、折りたたまれた、または別の方法で形成されたフィルタ縦溝流路（filter flute）の各縦溝流路が、媒体を通過する流体流れの長手方向のフィルタ縦溝流路を画定するために使用されることを意味しており、流体は、媒体の対向する流入端部および流出端部（または流れ面）の間で縦溝流路に沿って流れているる。Ｚ型フィルタ媒体のいくつかの例が米国特許第５,８２０,６４６号、同５,７７２,８８３号、同５,９０２,３６４号、同５,７９２,２４７号、同５,８９５,５７４号、同６,２１０,４６９号、同６,１９０,４３２号、同６,３５０,２９６号、同６,１７９,８９０号、同６,２３５,１９５号、米国意匠第３９９,９４４号、同第４２８,１２８号、同第３９６,０９８号、同第３９８,０４６号および同第４３７,４０１号に記載されており、引用によりこれら１５の文献を本出願に合体する。
【００１３】
ある種類のＺ型フィルタ媒体は、互いに結合された２つの特定の媒体コンポーネントを使用して媒体構造物を形成する。２つのコンポーネントとは、（１）縦溝流路付き（通常は波形加工された）媒体シート（縦溝流路付シート）と（２）対面媒体シートである。対面媒体シートは、通常は波形加工されていないが、例えば、引用により本明細書に合体される２００４年２月１１日に出願された米国仮特許出願第６０／５４３,８０４号に記述されたような縦溝流路の方向に対して垂直に波形加工されてもよい。
【００１４】
あるＺ型フィルタ構造物において、縦溝流路付き（通常は波形加工された）媒体シートと対面媒体シートとは、平行の入口および出口の縦溝流路を有する媒体を画定するために一緒に使用される。いくつかの例では、縦溝流路付きシートと対面シートとは互いに固定された後に、コイル状に巻き付けられてＺ型フィルタ媒体構造物を形成する。このような構造物は、例えば、引用により本明細書に合体される米国特許第６,２３５,１９５号と同６,１７９,８９０号に記述されている。その他のいくつかの構造物では、平らな媒体に固定された縦溝流路付き媒体のコイル状に巻き付けていない部分を互いに積層してフィルタ構造物を形成する。この例は、引用により本明細書に合体される米国特許第５,８２０,６４６号の図１１に記述されている。
【００１５】
この原理の多くは積層された構造物に適用されるが、以下で本明細書記載された特別な例示に対して、コイル状に巻き付けられた構造物が図示されている。
【００１６】
コイル状に巻きつけた媒体パックを形成するために、通常は、縦溝流路付きシートと対面シートの組み合わせを対面シートを外に向けてその周りでコイル状に巻き付ける。コイル状に巻き付ける技術は、それぞれの内容が引用により本明細書に合体される、２００３年５月２日に出願された米国仮特許出願第６０／４６７,５２１号と２００４年３月１７日に出願された国際特許出願第ＵＳ０４／０７９２７号に記載されている。その結果、コイル状に巻き付けられた構成物は、通常は、媒体パックの外部表面として、対面シートの一部を有している。
【００１７】
媒体内の構造を示すために本明細書で使用される用語「波形加工された（corrugated）」は、２本の波形ロールの間、すなわち、２本の波形ロールの間のニップまたはバイト内に媒体を通過させることで得られる縦溝流路付き構造物を示すことを意味しており、各波形ロールは、得られる媒体中にうね（波状）の効果を起こさせるのに適切な表面特性を有する。用語「うね（波状）：corrugation）」は、波形ロールの間のバイト内へ媒体を通過させる工程を含まない技術によって形成される縦溝流路を指すことを意味しない。しかしながら、用語「波形加工された」は、波形を形成した後に、例えば２００４年１月２２日に国際公開され本明細書に引用により合体される国際出願公開第２００４／００７０５４号に記述されるような折りたたみ技術によって、媒体が更に修正または変形される場合にも適用されることを意味する。
【００１８】
波形加工された媒体は、縦溝流路付き媒体の１つの特定の形態である。縦溝流路付き媒体は、媒体を横切って延びる個々の縦溝流路（例えば、波形加工または折曲げ加工で形成される）を有する媒体である。
【００１９】
Ｚ型フィルタ媒体を使用する点検整備可能なフィルタエレメントまたはフィルタカートリッジ形状を「真っ直ぐに通る流れの形状（straight through flow configuration）」またはこの変形として呼ぶ。一般にこの文脈において、点検整備可能なフィルタエレメントは、一般に流入端部（または面）と対向する流出端部（または面）とを有し、流れがフィルタカートリッジにほぼ同一のまっすぐに流れる方向で流入および流出することを意味する。（用語「真っ直ぐに通る流れの形状」は、この定義に対して、媒体パックから対面媒体の最外側のラップを通って通過する空気流れを無視する。）また、この文脈において、用語「点検整備可能（serviceable）」は、対応するエアクリーナから定期的に取外して取り替えるフィルタカートリッジを含む媒体について述べることを意味する。いくつかの例では、それぞれの各流入端部と各流出端部は、一般に平らまたは平面であり、２つは互いに平行である。しかしながら、これからの変形、例えば、平らでない面もまたいくつかの応用において使用可能である。
【００２０】
真っ直ぐに通る流れの構造物は、（特にコイル状に巻き付けられた媒体パックに対して）例えば、引用により本明細書に合体される米国特許第６,０３９,７７８号に示される円筒状の縦溝流路付きフィルタカートリッジなどの点検整備可能なフィルタカートリッジとは対照的なものであり、その特許では、流れは、一般に、点検整備可能なフィルタカートリッジを通過するときに実質的に旋回する。すなわち、米国特許第６,０３９,７７８号のフィルタでは、流れは円筒状の側面を通って円筒状のフィルタカートリッジの内部に入り、次に旋回して端面（前進の流れシステムによる）を通って外に流れる。このような逆の流れシステムの一例が、引用により本明細書に合体される米国特許第５,６１３,９９２号に記載されている。
【００２１】
本明細書で使用されるとき、用語「Ｚ型媒体構造物（Ｚ型filter media construction）」とその変形は、それだけで、フィルタ媒体を通るろ過流路無しに１つの流れ面から別の流れ面までの空気流れを禁じるための適切なシールを持つ（対面）媒体に固定された波形またはさもなければ縦溝流路付き媒体のウェブか、および／または、そのようなコイル巻きされたかまたはそうでなければ縦溝流路の三次元的ネットワークに形成または構成された媒体か、および／または、そのような媒体を含むフィルタカートリッジまたは構造物か、のいずれか、またはそれらの全てを指すことを意味する。多くの構造物において、Ｚ型媒体構造物は、入口および出口の縦溝流路のネットワークの形成のために構成されている。入口の縦溝流路が入口面に隣接する領域で開いており、出口面に隣接する領域で閉じており、で口の縦溝流路が入口面に隣接して閉じており、出口面に隣接して開いている。しかしながら、代替のＺ型媒体構成物は可能であり、例えば、２００６年５月４日に公開された米国特許第２００６／００９１０８４Ａ１号のバルドウィンフィルタが参照され、それもまた、媒体パックを通るろ過されていない空気の流れを妨げるためのシール構成物を有する、対向する流れ面の間に延びている縦溝流路を有している。
【００２２】
本明細書では、図１に、Ｚ型フィルタ媒体で使用可能な媒体１の例を図示している。媒体１は、縦溝流路付き（この例では波形に加工された）シート３と、対面シート４とから形成されている。
【００２３】
一般に、図１の（縦溝流路の波形）シート３は、本明細書では一般に、規則的に曲げられた縦溝流路またはうね（波）７を有する波パターンとして特徴づけられる。この文脈での用語「波パターン（wave pattern）」は、谷７ｂと尾根７ａとが交互にくる縦溝流路または波形（うね）パターンを指すことを意味する。この文脈で用語「規則的（regular）」は、谷と尾根（７ｂ,７ａ）の組がほぼ同じ繰り返しのうね（または、縦溝流路）形状とサイズで交互に形成されることを指すことを意味する。（また、一般に規則的な構造において、各谷７ｂは、実質的に各尾根７ａの逆形状である。）従って、用語「規則的」は、波形（または縦溝流路）パターンが、縦溝流路の長さの少なくとも７０％に沿って実質的に変わらないうね形状とサイズで、繰り返す各組（隣接した谷と尾根を有する）をもつ谷と尾根を有することを意味する。この文脈で用語「実質的（substantial）」は、媒体シート３が可撓性であることからのわずかな変動とは対照的に、波形加工シートあるいは縦溝流路付きシートを形成するために使用されるプロセスまたは形態における違いの結果としての変更を指す。繰り返しパターンの特徴に関して、所与のフィルタ構造物において、等しい数の谷と尾根とが必ずしも存在することを意味するものではない。例えば、媒体１は、谷と尾根を含む１組の間で、あるいは、谷と尾根を含む１組に部分的にそって終端とすることができる。（例えば、図１で断片的に図示される媒体１は、８つの完全な尾根７ａと７つの完全な谷７ｂとを備える。）また、対向する縦溝流路の複数の端部（谷と尾根の端部）は、互いに異なり得る。このような端部での変動は、特に述べない限り、これらの定義において無視される。すなわち、縦溝流路の端部における変動が、上記の定義によって保護されることを意味するものである。
【００２４】
複数のうねの「曲げられた／曲線状（curved）」波パターンの特徴を述べる文脈において、用語「曲げられた／曲線状」は、折りまげてあるいはしわを付けることにより媒体に付けられた形状ではなく、むしろ各尾根の頂部７ａと各谷の底部７ｂが半曲の曲線にそって形成される波形状パターンについて言うことを意味する。代替物は可能であるが、そのようなＺ型フィルタ媒体の通常の半径は、少なくとも０.２５ｍｍであり、通常は多くて３ｍｍである（曲げられていない媒体もまた、上記の定義によって、使用可能である）。
【００２５】
図１に示される波形シート３に対する特定の規則的に曲げられた波パターンの更なる特徴は、曲率が反転する遷移領域が、各谷と隣接する各尾根の間のほぼ中点３０で、縦溝流路７の長さに概ね沿って配置されていることである。たとえば、図１の裏側すなわち面３ａを見ると、谷７ｂは凹形の領域にあり、尾根７ａは凸形の領域にある。もちろん前側部すなわち面３ｂに向かってみると、側部３ｂの谷は尾根を形成し、面３ａの尾根７ａは谷を形成する（いくつかの例では、領域３０は、点の代わりに、部分３０の端部で曲率が反転する直線部分３０であってもよい）。
【００２６】
図１に示される、特別な規則的な曲げられた波パターンの縦溝流路付きシート３の特徴は、個々のうねが概ね直線的であることである。この文脈で、「直線的」とは、端部８と端部９間の長さの少なくとも７０％、通常は少なくとも８０％で、尾根７ａと谷７ｂの断面形状が実質的に変化しないことを意味する。図１で示される波パターンに関する用語「直線的」は、引用により本明細書に合体される２００３年６月１２日に公開された国際特許出願公開第ＷＯ９７／４０９１８号および同第ＷＯ０３／４７７２２号の図１に記載された波形加工された媒体のテーパ状縦溝流路のパターンと区別する。例えば、第ＷＯ９７／４０９１８号の図１のテーパ状縦溝流路は、曲げられた波パターンではあるが、この用語は、本明細書で使用されているような「規則的な」パターンあるいは直線的な縦溝流路のパターンではない。
【００２７】
本明細書の図１を参照すると、上記参照したように媒体１は対向する第１端部８と第２端部９とを有する。図示された例示に対して、媒体１がコイル巻きされて媒体パックに形成されると、通常、第２端部９が媒体パックの入口端部を形成し、第１端部８が媒体パックの出口端部を形成するが、ある応用では逆の配置もまた可能である。
【００２８】
図示された例において、隣接する端部８には、密封材、この例では密封材ビーズ（sealant bead）１０の形態で、波形（縦溝流路付き）シート３と対面シート４とを一緒にシールする。密封材ビーズ１０を、時には「単一フェーサ（single facer）ビーズ」と呼ぶ、なぜなら、密封材ビーズが波形シート３と対面シート４との間のビーズであり、単一フェーサまたは媒体細長片（media strip）１を形成するからである。密封材ビーズ１０は、端部８に隣接する各縦溝流路１１の空気通路を閉じてシールする。
【００２９】
図示された例において、密封材が、この例では密封材ビーズ１４の形態で、隣接する端部９に供給される。密封材ビーズ１４は、通常は、未濾過の流体のその中の通路に対して端部９に隣接して縦溝流路１５を閉じる。密封材ビーズ１４は、通常は、媒体１が波形状のシート３が内部に向けられた状態でそれ自身の周りにコイル状に巻かれているときに、適用される。したがって、密封材ビーズ１４は、対面シート４の裏面１７と、波形シート３の側面１８との間でシールを形成する。細長片１がコイル巻きされ、コイル状の媒体パックにされるときに密封材ビーズ１４が通常適用されるので、密封材ビーズ１４は、ときどき「巻き付けビーズ」と呼ばれる。
【００３０】
図１を参照すると、媒体１が、例えば、コイル巻きか積層して媒体パック中に組み込まれると、媒体１は以下のように作動し得る。最初に、空気は矢印１２の方向で端部９に隣接する開いた縦溝流路１１に入る。端部８は密封材ビーズ１０によって閉じているので、空気は、矢印１３で示される方向に媒体を通過する。次に、空気は、媒体パックの端部８に隣接した縦溝流路１５の開いた端部１５ａを通る通路によって媒体パックから外に出る。もちろん、上記と逆方向の空気流れとすることもできる。
【００３１】
より一般的な用語において、Ｚ型フィルタ媒体は、対面フィルタ媒体に固定され、第１と第２の対向する流れ面の間で延びている媒体パックの複数の縦溝流路中に構成された、た縦溝流路付きフィルタ媒体を有する。密封材またはシール構成物は、第１上流端部で空気が入ってくる縦溝流路が、媒体を通過するろ過通路を用いずに下流の端部から媒体パックを出ないことを確実にするように、媒体パック内に提供されている。
【００３２】
本明細書の図１に示された特定の構造に対し、平行なうね７ａ、７ｂは、端部８から端部９まで、通常は、真っ直ぐに完全に媒体を横切る。真っ直ぐな縦溝流路またはうねを選択された位置、特に端部で、変形または折りたたむことができる。この縦溝流路端部で、閉じるための変形は、通常は上記の「規則的に」「曲げられた」「波パターン」の定義から外れる。
【００３３】
真っ直ぐで、規則的に曲げられた波パターンのうね（縦溝流路）形状を用いないＺ形フィルタ媒体構造物が知られている。例えば、山田他による米国特許第５,５６２,８２５号には、狭いＶ字形（曲げられた複数の側面を有する）の出口縦溝流路に隣接する幾分か半円形状（断面で）の入口縦溝流路を使用する波パターンが図示されている（米国特許第５,５６２,８２５号の図１、図３参照）。また、松本他による米国特許第５,０４９,３２６号には、１枚の半円形状のシートを別の半円形状のシートに取り付けることにより画定され、得られる平行で直線的な縦溝流路の間に平たんな領域を備える円形（断面が）または管状の縦溝流路が当該第５,０４９,３２６号の図２に示されている。石井他による米国特許第４,９２５,５６１号（図１）では、四角形の横断面を有するように折り曲げられて、長手方向に沿ってテーパ状となっている縦溝流路が記載されている。国際出願公開第ＷＯ９７／４０９１８号（図１）では、曲げられた波パターン（隣接する、曲げられた凸部と凹部の谷）を有するが、長さ方向にそってテーパ状となっている（従って真っ直ぐではない）縦溝流路または平行な複数のうねが図示されている。また国際出願公開第ＷＯ９７／４０９１８号では、曲げられた波パターンを有するが、異なるサイズの尾根と谷のサイズを備えた縦溝流路が図示されている。
【００３４】
一般に、フィルタ媒体は、比較的柔軟な材料、通常は、（セルロース繊維、合成繊維または両方の）不織布繊維質材料であり、樹脂を含み、時には付加材料とともに処理されている。したがって、フィルタ媒体は、容認できないような媒体損傷を受けずに、種々の縦溝流路、例えば、波形状パターンに加工するまたは構成することができる。また更に、フィルタ媒体は容認できないような媒体損傷を受けずに、使用のためにコイル状に巻き付けあるいは他の構造に容易にすることができる。もちろんフィルタ媒体は、使用中に、要求された縦溝流路（例えば、波パターンに加工された）構造を維持するような性質を持ち得る。
【００３５】
うね（縦溝流路）形成工程では、非弾性変形が媒体に生じる。これによって、媒体が元の形状に戻ることが防げる。しかしながら、この工程で張力が解放されると、縦溝流路あるいはうねは、伸びと曲がり部分の少なくとも一部が回復するスプリング・バックを起こしやすい。対面シートは、時には、縦溝シートにおけるスプリング・バックを禁じるために、縦溝流路付き（または、波形状）シートに鋲で留められる。
【００３６】
また、通常は、媒体は、樹脂を含む。うね形成工程で、媒体は樹脂のガラス転移点以上の温度に加熱され得る。樹脂が次に冷却されると、樹脂は縦溝流路の形状を維持するように作用する。
【００３７】
波形シート３、対面シート４またはその両方の媒体は、例えば、参照として本明細書に合体される米国特許第６,６７３,１３６号に記載されているような、その一側面または両側面上に、微細な繊維材料を提供することができる。
【００３８】
Ｚ型フィルタ構造物に関する問題は、個々の縦溝流路の端部を閉じ方に関する。通常は、密封材あるいは接着剤がシールを達成するために提供される。上記の記載から明らかなように、特に、テーパ状の縦溝流路に対向して直線的な縦溝流路を使用する通常のＺ型フィルタ媒体において、上流側端部と下流側端部の両方で、大きいシール材表面積（および体積）が必要となる。これらの位置での高品質シールは、結果として生じる媒体構造の適切な動作にとって重要である。しかし大きなシール材体積および表面積はこの点で問題となる。
【００３９】
更に、図１を参照すると、２０でタックビーズが、波形状シート３と対面シート４との間に配置されて、一緒に固定するために示されている。タックビーズ２０は、例えば、接着剤の不連続な線であり得る。また、タックビーズ２０は、媒体シートが一緒に溶接された点であり得る。
【００４０】
上記から、図示された例示の波形シート３は、通常は、２つが接する尾根と谷に沿って対面シートに連続的に固定されていない。従って、空気は、媒体を通過する通路無しに、隣接する入口の複数の縦溝流路の間と、交互の隣接する出口の複数の縦溝流路との間を流れることができる。しかしながら、入口立て溝流路中に入った空気は、少なくとも１つのろ過する媒体シートを通過すること無しに出口流路から出ることができない。
【００４１】
次に、図２に着目すると、規則的に曲げられた波パターンの波形シート４３と、波形でない平らなシート４４とを使用するＺ型フィルタ媒体構造４０、すなわち、単一フェーサ細長片が概略的に示されている。点５０と点５１の間の距離Ｄ１は、与えられた波形の縦溝流路５３の下にある領域５２の対面する媒体４４の範囲を定める。同じ距離１上の波形に加工された縦溝流路５３のためのアーチ形の媒体の長さＤ２は、波形に加工された縦溝流路５３により、当然Ｄ１より長い。縦溝流路付きフィルタの応用において使用される通常の規則的な形状の媒体では、点５０と５１と間の媒体５３の直線長さＤ２は、一般にＤ１の少なくとも１．２倍である。通常ではＤ２は、Ｄ１の１．２〜２．０倍の範囲内になる。空気フィルタのための１つの特別の便利な構造では、Ｄ２がＤ１の約１．２５〜１．３５倍である構成を有する。そのような媒体は、例えば、ドナルドソン社のＰｏｗｅｒｃｏｒｅ（登録商標）のＺフィルタ構造物において商業的に使用されている。ここでこの比Ｄ２／Ｄ１は、時として波形に形成された媒体の縦溝流路／平坦部比（flute/flat ratio）、または媒体しぼり（media draw）として特徴付けられる。
【００４２】
段ボール業界では、様々な規格の縦溝流路が定められている。例えば,規格Ｅの縦溝流路、規格Ｘの縦溝流路、規格Ｂの縦溝流路、規格Ｃの縦溝流路、および規格Ａの縦溝流路など。添付の図３は、以下の表Ａとの組み合わせて、これらの縦溝流路の定義を提供する。
【００４３】
本特許の譲受人であるドナルドソン株式会社（ＤＣＩ）社は、様々なＺフィルタ構成物内における規格Ａと規格Ｂの縦溝流路の変形を使用してきた。これらの縦溝流路もまた、表Ａおよび図３で定められる。
【００４４】
【表１】
2009541643.tif 000003
【００４５】
もちろん、段ボール箱業界からのその他の規格の縦溝流路の定義が知られている。
【００４６】
一般に、段ボール箱業界からの規格の縦溝流路の形状は、波形状媒体の波（うね）形状または概略波（うね）形状を定めるために使用することができる。ＤＣＩの縦溝流路ＡおよびＤＣＩの縦溝流路Ｂと、段ボール業界の規格縦溝流路Ａおよび規格縦溝流路Ｂとの間の上記の比較は、いくつかの使いやすいバリエーションを示している。
【００４７】
II．概論的な縦溝流路付き媒体を使用するコイル巻きされた媒体の製造
図４では、図１の細長片１に相当する媒体細長片を作る製造工程の一例をに示す。通常は、対面シート６４と、縦溝流路６８を有する縦溝流路付（波形加工された）シート６６とが一緒に提供され、それらの間に７０の位置に配置された接着ビーズととも媒体ウェブ６９を形成する。接着ビーズ７０は、図１の単一フェーサ・ビーズ１０を形成する。オプションのダーツ付け工程は、ステーション７１で行われて、ウェブ中央部に配置される中央ダーツ部７２を形成する。Ｚ型フィルタ媒体またはＺ型フィルタ細長片７４は、７５の位置でビーズ７０に沿って切断されまたは切込みを入れられて、Ｚ型フィルタ媒体７４の２つの部片７６、７７が形成され、各部片は、密封材（単一フェーサ・ビーズ）の細長片が波形シートと対面シートとの間に延びる状態の端部を有する。もちろん、オプションのダーツ付け工程が用いられる場合には、密封材（単一フェーサ・ビーズ）の細長片を有する端部は、また、この位置で、ダーツが付けられる１組の縦溝流路を有する。
【００４８】
図４に関して特徴付けられるようなプロセスを行う技術は、２００４年１月２２日に国際公開され参照として本明細書に合体する国際出願公開第０４／００７０５４号に記載されている。
【００４９】
さらに図４を参照すると、Ｚ型フィルタ媒体７４は、ダーツ付けステーション７１通過し、結果として起こる７５での切り込みを入れられる前に、Ｚ型フィルタ媒体媒体７４は形成されなければならない。図４に示す概略図では、これは、１対のうねローラ９４、９５に媒体９２の平らなシートを通過させることによって行われる。図４に示す概略図では、媒体９２の平らなシートは、ロール９６から巻き出され、テンション・ローラ９８に巻き回され、次いでうねローラ９４、９５の間のニップまたはバイト１０２を通される。うねローラ９４、９５は、歯１０４を有し、平らなシート９２がニップ１０２を通過した後にほぼ所望の形状のうねを与える。ニップ１０２を通過した後、平らなシート９２は、この機械方向を横切って波形となり、６６にて波形シートと呼ばれる。次いで波形（縦溝流路付き）媒体シート６６は、対面シート６４に固定される。うね形成工程はいくつかの例で、媒体を加熱する工程を伴う。
【００５０】
図４をさらに参照すると、工程はまた、ダーツ付け工程ステーションへと向けられた対面シート６４を示す。対面シート６４は、ロール１０６に貯蔵され、次いで、波形シート６６に送られてＺ型フィルタ媒体７４を形成する。波形シート６６と対面シート６４は、通常は、接着材またはその他の手段によって（例えば、音波溶接によって）一緒に固定される。
【００５１】
図４を参照すると、波形シート６６と対面シート６４とを一緒に固定するために、接着線７０が密封材ビーズとして使用されて示される。あるいは、対面ビーズを形成するための密封材ビーズが７０ａとして示すように適用され得る。密封材が７０ａとして適用される場合には、密封材ビーズ７０ａを収容するためにうねローラ９５内に、可能な場合には波（うね）ローラ９４、９５内の両方に間隙を設けることが望ましい。
【００５２】
もちろん、図４の装置は、所望の場合、タックビーズ２０を提供するために変更することができる。
【００５３】
波形媒体に設けられる波（うね）の種類は、選択事項であり、波（うね）ローラ９４、９５のうねまたはうねの歯によって決定される。１つの有用な縦溝流路付きパターンは、本明細書で上記で定義されたような、規則的に曲げられた波パターンのうねである。典型的な規則的に曲げられた使用される波パターンは、波パターン内の、上記で定義されるような距離Ｄ２が、上記で定義されるような距離Ｄ１の少なくとも１．２倍のものとなる。１つの好ましい応用例では、通常は、Ｄ２＝１．２５〜１．３５×Ｄ１であるが、代替物は可能である。いくつかの例では、この技術は、たとえば、直線的な縦溝流路を使用しないものを含む「規則的」でない曲げられた波パターンに適用され得る。また、記載されたように、図４で示されたプロセスは、中央のダーツ部７２を形成するために使用することができる。図５は、断面でダーツおよび切り込み後の縦溝流路６８の１つの断面図である。
【００５４】
説明したように、図４に示す工程は、中央ダーツ部７２を作り出すために使用することができる。図５は、ダーツを付け切込みを入れた後の縦溝流路６８のうちの１つの断面を示す。
【００５５】
折たたみ構造１１８は、４つのしわ１２１ａ、１２１ｂ、１２１ｃ、１２１ｄを持つダーツが付けられた縦溝流路１２０を形成するために見られる。折たたまれた構造１１８は、対面シート６４に固定された平らな第１層または部分１２２を含む。第２層または部分１２４は、第１層または部分１２２に押し付けられて示される。第２層または部分１２４は、好ましくは、第１層または部分１２２の折たたまれた対向する外側端部１２６、１２７から形成される。
【００５６】
さらに図５を参照すると、２つの折目またはしわ１２１ａ、１２１ｂは、ここでは全体的に、「上方の、内側に方向付けられた」折目またはしわと呼ばれる。「上方の」という用語はこの文脈で、折目１２０を図５の向きで見た場合に、折目１２０全体の上方部分にしわが載ることを示すことが意図される。「内側に方向付けられた」という用語は、各しわ１２１ａ、１２１ｂの折曲げ線またはしわの線が、他方に向かって方向付けられることを指すことが意図される。
【００５７】
図５では、しわ１２１ｃ、１２１ｄが、ここでは全体的に、「下方の、外側に方向付けられた」しわと呼ばれる。「下方の」という用語はこの文脈で、しわ１２１ｃ、１２１ｄが、図５の向きのしわ１２１ａ、１２１ｂのように頂部には配置されていないことを指す。「外側に方向付けられる」という用語は、しわ１２１ｃおよび１２１ｄの折曲げ線が、互いから背いて方向付けられることを示すことが意図される。
【００５８】
本明細書で使用される「上方」および「下方」という用語は、具体的には、図５の向きから見たときの折目１２０を指すことが意図される。すなわちそれらは、それと異なり折目１２０を使用するために実際の製品内で向きを決めるときの方向を示すものではない。
【００５９】
図５のこれらの特徴および再検討によって、本発明の図５による好ましい規則的な折りたたみ構造１１８は、少なくとも２つの「上方の、内側に方向付けられたしわ」を備えるものであることを理解することができる。これらの内側に方向付けられたしわは、独特であり、折曲げが隣接する縦溝流路上に大幅に侵入しない全体的な構造を設けることを助ける。
【００６０】
第２層または部分１２４に対して押し付けられた、第３層または部分１２８も見ることができる。第３の層または部分１２８は、第３の層１２８の対向する内側端部１３０、１３１から折り曲げることによって形成される。
【００６１】
折りたたみ構造１１８を見る別の方法は、波形シート６６の交互の尾根および谷のジオメトリを参照することである。第１層または部分１２２は、反転された尾根から形成される。第２層または部分１２４は、反転された尾根に向かって折り曲げられ、好ましい構造ではそれに対して折曲げられる、（尾根を反転させた後の）二重の峰に相当する。
【００６２】
図５に関連して説明したオープションのダーツを提供するために使用可能な技術が、参照により本明細書に合体される国際出願公開第０４／００７０５４号に記載されている。巻き付けビーズの適用と共に、媒体をコイル巻きにするための技術が、参照により本明細書に合体する、２００４年３月１７日出願の国際出願公開第ＵＳ２００４／０７９２７号に記載されている。
【００６３】
本明細書に記載される技術は、波形状シート／対面シートの組み合わせを有する単一シート、すなわち、「単一フェーサ」の細長片をコイル状に巻くことによって得られる媒体パック中での使用に特によく適合されている。この技術のあるものは、構成物と共に適用されることができ、コイル状に巻かれることによって形成される代わりに、複数の単一フェーサの細長片から形成される。
【００６４】
コイル巻きされた媒体パック構成物は、多くの周辺の周囲の定義と共に提供される。本明細書において、用語「周辺の周囲の定義」とその変形は、媒体パックの入口端部あるいは出口端部のどちらかを見ながら、画定された外側の周囲形状について言及することを意味している。通常の形状は、国際特許出願第ＷＯ０４/００７０５４号と国際特許出願第ＵＳ０４/０７９２７号に記載されているような円形である。他の使用可能な形状は、非円形であり、非円形の例は楕円形状である。一般に、楕円形状は、１組の対向する側部に取り付けられた対向する波形の側端部を有する。また、いくつかの楕円形状では、対向する側部もまた曲がっている。他の楕円形状では、時々競馬場形状と呼ばれ、対向する側部は直線である。競馬場形状は、例えば、国際特許出願第０４/００７０５４号と国際特許出願出願第ＰＣＴ/ＵＳ０４/０７９２７号に記載されている。
【００６５】
周囲または周辺形状を記載する別の方法は、コイルの巻き付けアクセスに直交する方向に媒体パック通る断面を取ることから得られる周囲を画定することである。
【００６６】
媒体パックの対向する流れ端部または流れ面は、様々な定義を提供することができる。多くの構造では、端部は、一般に平坦であり、互いに垂直である。他の構成では、端部面は、媒体パックの側部壁の軸方向端部から軸方向に外側に突き出ることを画定するか、または、媒体パックの側部壁の端部から軸方向の内側に突き出すことを画定する、テーパ形状の、コイル巻きされた、階段状部分を有する。
【００６７】
縦溝流路シール部（例えば、単一フェーサ・ビーズ、巻き付けビーズまたは積層ビーズ）は、様々な材料から形成することができる。引用され合体される参考文献の様々な文献において、ホットメルトまたはポリウレタンシールが、様々な応用例に可能であるとして記載されている。
【００６８】
III.Ｚ型フィルタ媒体を使用する実施例の改良されたエアクリーナ構成物：図６〜１９
Ａ.全般的なエアクリーナの特徴
図１４の参照番号２００は、一般に、本開示に基づくエアクリーナを示す。エアクリーナ２００は、入口（端）部２０２、出口（端）部２０３、およびその間に配置された中央領域２０５を有するハウジング２０１を有する。中央領域２０５は、取外し可能な側部アクセスカバー２０６を含んでいる。
【００６９】
一般に、中央領域２０５は、点検可能な基本エアーフィルタカートリッジまたはフィルタカートリッジ構成物の取り付けと収容空間とを画定する。すなわち、基本フィルタカートリッジは、取外し可能で取替え可能である。エアクリーナの使用の間、ろ過されるべき空気は、（ａ）入口構成物２１０の入口部２０２を通ってエアクリーナ２００に入り、（ｂ）中心領域２０５内に収容された基本フィルタカートリッジを通って送出され、次に、（c）結果として得られるろ過された空気は、出口部２０３中を通過し、そこからろ過された空気は、出口構成物２１１を通過して、例えば、エンジン燃焼空気取入れ口あるいは必要な他の場所に向かう適切なダクトワークに入る。
【００７０】
図示された特定のエアクリーナ２００は、通常は、入口部２０２と、出口部２０３と、基部２１４と、分離可能なアクセスカバー２０６を含む中央部２０５とを含むモジュラーピースで製造される。通常のアプローチでは、パーツ２０２、２０３、２０６、および２１４は、さまざまな成形技術を利用してプラスチックから鋳型成形することができる。しかしながら、本明細書に記載された原理を用いて、構造物に対する代替材料とアプローチを使用することができる。
【００７１】
本明細書の基部２１４は、時々、「基本フィルタカートリッジ収容部」と呼ばれる。この文脈の用語「基本フィルタカートリッジ」は、例えば、上記の概論と対応し、使用の間、ハウジング２０１（取り付けられる位置または設置位置）内に配置されたＺ型フィルタ媒体を含む点検可能なフィルタカートリッジを指すことを意味する。用語「基本フィルタカートリッジ」は、その範囲内に、ハウジング２０１内に配置できる分離した安全なフィルタを含むことを意味しない。用語「基本フィルタカートリッジ収容部」は、基本フィルタカートリッジが取り付けの間に挿入される基部２１４の一部について言うことを意味する。いくつかの例示において、取付の間、例えば、取り付けられた位置で、基本フィルタカートリッジの複数の部分は、基本フィルタカートリッジ収容部２１４から、例えば、アクセスカバー２０６中に突き出ることができ、かつ、基本フィルタカートリッジ上のシール構成物の複数の部分は、例えば、出口部２０３中に突き出ることが注目される。
【００７２】
モジュール構造の結果として、図１４のエアクリーナ２００は、さまざまなオプションとともに提供できる。オプションには、例えば、出口構成物２１１が図１４に示された位置から反対方向に配置された管のように構成され変更されている出口部２０３の取り付け、および、例えば、別の方向から空気流を受け入れるように、および／または、異なる入口構成物をもつように変更された別の入口部を有する入口部２０２の置換を含む。これらの可能性のいくつかの例は、２００６年１月２０日に出願された米国特許仮出願第６０/７６０,５５９号で議論されている。
【００７３】
通常の構成物では、モジュールのハウジングアセンブリ２０１がいったん製造されると、入口部２０２と出口部２０３は、基部２１４から取り外されない。したがって、通常は、これらのコンポーネント上は、締りじめが提供されるか、超音波溶接されるか、または別の方法で一緒に固定される。
【００７４】
アクセスカバー２０６は、ハウジング２０１の内部への側部（端部でない）からの点検アクセスのために、ハウジング２０１の残りの部分から取外し可能に構成されている。図示された実施例では、アクセスカバー２０６は、オーバーセンターラッチ２１６によって適所位置に固定されている。そのようなラッチ（掛け金）２１６は、金属線から通常製造され、次に、アクセスカバー２０６中に鋳型成形されたラッチマウント２１７上に取り付けられる。
【００７５】
更に、図１４を参照すると、図示された特定のエアクリーナ２００に対して、可撓性ベロー２２０が入口２１０に提供されることが注目される。ベロー２２０は、オプションであり、フード中に作られた入口ダクト構成物が入口構成物２１０に空気を向けるようにベロー２２０と係合するように、エアクリーナ２００の上方が閉じられているトラックのような乗り物のフードと係合するように構成されている。米国仮特許出願第６０/７６０,５５９号に図式的に示された実施例は、参照により本明細書中に合体する。
【００７６】
図１４に示されたエアクリーナ２００は、エンジンブロック上でかつトラックのフードの下に設置されたとき、エアクリーナ２００が通常有する配向で図示されているが、代替の使用は可能である。また、代替は可能であるが、例示の使用において、アクセスカバー２０６は、取り外されるとき上向きに持ち上げられる代わりに、ハウジング２０１の側部から横方向に取外し可能である。
【００７７】
ここで、図１５を注目する。図１５では、エアクリーナ２００が、内部に取り付けられる（設置される）フィルタカートリッジを取外した状態の断面図で示されており、取り外されたアクセスカバー２０６を配置する方向からの図である。図１５では、出口構成物２１１がビュアーから離れる方向を指すように、出口部２０３は図１４に対して１８０°回転して取り付けられて示されていることが注目される。これは、モジュール構造物によって提供されるあるオプションを示している。
【００７８】
また、図１５を参照すると、入口部２０２が図１４に示された位置から変更されていることが注目される。図１５では、入口部２０２がビュアーから離れる方向に向けられて示された実施例の側部入口構成物２１０で提供されている。これもまたモジュール構造で提供されるあるオプションを示している。
【００７９】
また、図１５を参照すると、取付構成物の取付レッグまたはパッド２２５は、エアクリーナ２００を乗り物などの装置の上または内部の適所位置に固定するために提供される。取付構成物２２５は、エアクリーナ２００の別の方向の取り付けが可能となるように、ハウジング２０１上の様々な位置に提供することができることが注目される。取付パッド２２５は、便宜とモジュールのアセンブリのために、通常は、中央部２０５の基部２１４（図１４）上に配置される。
【００８０】
示された実施例において、取付パッド２２５は、図１４のアクセスカバー２０６を取り外す方向から約９０°の方向に向けられているが、代替手段が可能である。次に、この実施例では、図１４に示された方向と一致しており、そこでは、アクセスカバー２０６は、整備点検の間に、直接上向きに持ち上げられるのとは対照的に、エアクリーナハウジング２０１から横方向に取り外される。しかしながら、本明細書に記載された原理を用いて、さまざまな代替の取り付け方向を使用することができる。
【００８１】
本明細書の記載と一致する特徴を有するエアクリーナは、さまざまな装置による使用のためにさまざまなサイズで製造することができる。図１４の実施例において、エアクリーナは、例えば、トラックなどの可動装置と共に使用することができ、トラックのフード構成物の下に取り付けることができる。
【００８２】
図１５を参照すると、エアクリーナハウジング２０１は、代替手段として、２つ以上のサイズの基本フィルタカートリッジを安全に収容するために特に構成されている。すなわち、例えば、エアクリーナハウジング２０１は、第１軸方向長さの第１基本フィルタカートリッジと共に使用されることができ、また、別に第２の異なる軸方向長さの第２基本フィルタカートリッジと共に使用することができる。この実施例は、米国仮特許出願第６０/７６０,５５９および２００６年６月２２日に出願された関連する米国仮特許出願第６０/８１５,７９４号に記載されている。このことが可能となる構成物は、エアクリーナ２００の使用における広範囲のさまざまなオプションを提供する。特に、同じエアクリーナハウジング２０１は、エアクリーナハウジング自体を変更せずに、取り付けられたフィルタカートリッジを変更することによって、車のエンジンサイズとエアクリーナの要求に依存しながら、さまざまな異なった特定の乗り物と共に使用することができる。また、同じ乗り物は、使用環境（例えば、都市、高速道路上;オフロード）に依存する、異なる基本フィルタカートリッジ構成物を提供することができる。
【００８３】
エアクリーナハウジング２０１は、２つ以上のサイズの基本フィルタカートリッジを特に収容するために構成されているが、本明細書での特別に興味ある特徴は、比較的長いフィルタカートリッジが使用されているときの安定化に関連する。したがって、（比較的）短いフィルタカートリッジの取り付けに関連する特徴の詳細な説明は、本明細書に記載しない。本明細書では、一般にハウジング基部２１４が比較的短いフィルタカートリッジを取り付けるために、その中にガイド構成物２２６を含んでいると簡単に述べている。そのようなガイド構成物２２６は、図１４のアクセスカバー２０６中にコンパニオン収容部２２６ａを提供する。類似の特徴、およびそれらの操作は、米国仮特許出願第６０/７６０,５５９号と２００６年６月２２日に出願された関連する米国仮特許出願第６０/８１５,７９４号に記載されている。
【００８４】
本明細書では、用語「軸方向長さ」が基本フィルタカートリッジで使用される場合、入口流れ面と出口流れ面との間の方向の間の一般的な伸びる方向、または、入口流れ面と出口流れ面との間の方向と一般に平行に伸びる方向を指すことを意味する。もちろん、全体の総合的な軸方向のフィルタカートリッジは、その位置から外側方向に突き出ている媒体パック上に配置される構造物の軸方向突起を含んで測定される。媒体パックの全体の軸方向長さは、通常は、入口流れ面と対向する出口流れ面との間の最大距離にのみ関連する。
【００８５】
図１５を参照すると、代替手段が可能であるが、図示された特定のエアクリーナ２００は、外側に向けられた半径方向シールを利用して適所位置でシールするハウジングシール部材をもつ基本フィルタカートリッジとともに使用するように構成されている。このタイプのシールの例は、米国特許第６,１９０,４３２号、米国特許第６,３５０,２９１号、米国特許第６,６１０,１１７号、米国特許第６,７８３,５６５号および２００５年８月４日に公開された米国特許出願公開２００５/０１６６５６１号に記載されている。このタイプのシールの他の例は、米国特許出願公開第２００６/００９０４３４、米国特許出願公開第２００６/００９０４３１号、米国特許出願公開第２００６/００９１０６４、米国特許出願公開第２００６/００９１０６１号に記載され、ボールドウィン・フィルタ・インクのこれらの刊行物のそれぞれは、本開示に基づく原理とともに使用するために適合することができるシール構成物を示している。
【００８６】
前のパラグラフにおいて、引用文献では、「外側に向けられた半径方向シール」を使用してハウジングシール部材を適所位置に配置した。用語「半径方向」は、この文脈において、一般に、媒体パックまたはフィルタカートリッジの延長部分（縦溝流路または空気流れ方向）の軸方向に垂直な方向について言うことを意味する。この文脈の「外側に」は、媒体パックの中央の長手方向の軸から半径方向の外側方向を言うことを意味する。
【００８７】
図１５を参照すると、基部２１４の内部２１４iが、２つの異なる大きさのエレメントを収容するために、そこに複数の（この例では２つ）バイアストラックを持って構成されていることが注目される。第１と第２バイアストラックは、一般に、２２６と２３７で示される。上記示されたように、第１バイアストラック２２６の操作は、本明細書に詳細に記載されないが、この理由は、本明細書に記載された特徴が、一般に、その使用に特に関連しないからである。その操作と使用に関して、２００６年６月２２日に出願された米国仮特許出願第６０/７６０,５５９号と関連する米国仮特許出願第６０/８１５,７９４号が再び参照される。
【００８８】
また、第２バイアストラック２３７の操作と使用は、米国仮特許出願第６０/７６０,５５９号と、２００６年６月２２日に出願された関連する米国仮特許出願第６０/８１５,７９４およびさらに以下の議論から理解される。しかしながら、一般に、第１バイアストラック２２７は、出口部２０３で第２バイアストラック２３７（距離ＤＹ）が配置される距離より入口部２０２から異なる距離（ＤＸ）で配置されることが注目される。すなわち、２つのバイアストラック２２６、２３７は、第１バイアストラック２２６が出口部２０３に近く、かつ、第２バイアストラック２３７が入口部２０２の近くに配置されている状態でエアクリーナハウジング２０１内で軸方向に間隔をあけて配置されている。
【００８９】
本明細書に記載された原理の多くは、２つのバイアストラックを含むものばかりでなく、１つまたは３つ以上のバイアストラックを含むエアクリーナ構成物で実施できることが注目される。
【００９０】
さらに、図１４と１５を参照すると、図示されたエアクリーナハウジング２０１は、一般に、楕円形（対向する２つの側部を持つ２つの狭い曲線状端部）である外側シール周辺（周囲）形状と、一般に楕円形（再び対向する２つの側部を持つ２つの狭い曲線状端部）である外側周辺（周囲）形状を持つ媒体パックとを有するフィルタカートリッジを収容するために構成されていることが注目される。通常の楕円形構成物は、本明細書で競馬場と呼ばれる周囲形状であり、そこでのシールと媒体パックの両方の周囲の定義は、対向する一般に平行な側部がその間に延びている対向する半円の曲線状端部を有することである。このことは、以下に示す実施例の基本フィルタカートリッジを用いて説明される。もちろん、本明細書に記載された原理のあるものは、基本フィルタカートリッジ、および/または別のシールの構成物、例えば、２つの端部が曲線状であるばかりでなく反対側部もまた曲線状である円形、または、別の楕円形への応用に対して採用することができる。
【００９１】
第２バイアストラック２３７は、対向する側部２３７ａ、２３７ｂ、および丸い中央部２３７ｃをもつ一般にＵ字形を持って図１５で見ることができる。また、第２バイアストラック２３７は第１バイアストラック２２６が配置されているよりも軸方向に入口部２０２の近くに配置されていることが注目される。代替物では、バイアストラック２２６はバイアストラック２３７が配置されるよりも入口部２０２の近くに配置される。図１５を参照すると、丸み状の中央部２３７の底部の最も奥深い部分は、出口部２０３に向かって突き出ている複数の突起２３８を提供する。複数の突起２３８は、さらに取り付けられたフィルタカートリッジの出口部２０３に向かって傾くのを助け、その結果、フィルタカートリッジを所定位置に維持するのを助ける。突起２３８は、通常は、伸びる部分中でアクセスカバー２０６から離れて、すなわち、図１５の観察者から離れる方向により出口部２０３に向かう突起を有するようにそれぞれ形成されたくさびまたはカムである。
【００９２】
第２バイアストラック２３７は、一般に、出口部２０３に向かって軸方向に向いて配向されかつ入口部２０２から離れるバイアストラック表面２３７ｓを画定する。バイアストラック表面２３７ｓは、通常は、平面であり、入口部２０２と出口部２０３との間の流れ方向にほぼ垂直でなく、むしろわずかにそこからある角度で傾斜している平面に配向している。バイアストラック表面２３７sに対して、次に、先端２３７ｔは、一般に、中央部２３７ｃ中の表面２３７ｓの一部であるより入口部２０２により近くに配向されている。
【００９３】
ある場合に、「直線距離」に言及される。用語「直線距離」は、先端２３７tと関連して使用されるとき、その意図は、先端２３７tの間の最短距離を言うことであり、バイアストラック２３７のＵ字形の距離ではない。
【００９４】
上記注目されたように、Ｕ形状バイアストラック２３７は、一般に、入口部２０２から出口部２０３に向かってテーパ状の鋭角で部２１４の内側に延びている。通常、バイアストラック２３７は、少なくとも０.５度、通常は１５°以下、通常は２°〜１０°の範囲の傾斜角度で延びている。この文脈で使用される用語「傾斜角度」は、バイアストラック２３７を画定する平面と、入口部２０２から出口部２０３までエアクリーナ２００を通る空気の流れの一般的な方向に垂直平面との間の鋭角を言うことを意味する。
【００９５】
Ｂ  実施例の第１基本フィルタカートリッジと取り付け
図６と図１１に、エアクリーナ２００の取り付けのための第１基本フィルタカートリッジ２５０を示す。特に第１基本フィルタカートリッジ２５０は、バイアストラック２３７（図１５）と接触させる（またはそうでなければ隣接して接触している）位置の間に延びている位置に設置され図１５のハウジングシール表面２３０でシールするように構成されている。したがって、図１５に示された実施例において、ハウジング基部２１４の内部に適合するように、第１フィルタカートリッジ２５０（図６）が最大（軸方向）長さ（または、ほぼ最大長さ）のフィルタカートリッジとして大きさに作られている。
【００９６】
図６に、フィルタカートリッジ２５０の平面図を示す。フィルタカートリッジ２５０は、オブザーバーがフィルタカートリッジ２５０を下方に見る状態でハウジング２０１中へ設置するように配置される。
【００９７】
フィルタカートリッジ２５０は、第１空気流れ（実施例では入口）面２５２と、対向する第２空気流れ（実施例では出口）面２５３とを有する媒体パック２５１を含んでいる。
【００９８】
媒体パック２５１は、一般に、上記記載された説明に一致するＺ型フィルタ媒体を含む。上記説明されたように、Ｚ型フィルタ媒体は２つの形態で、すなわち、対面媒体シートに固定された縦溝流路付き（波形の）媒体シートを含む単一フェーサを渦巻状にする構成物として、または、それぞれが対面媒体シートに固定された縦溝流路付き（波形の）媒体シートを含む単一フェーサの細長片の積層体として、提供することができる。どちらかのタイプの構成物も本明細書に記載された一般的な技術とともに提供される。しかしながら、図示されたアセンブリは、特に、渦巻状にする構成物を用いる用途のために構成されており、積層した媒体パック構成物を使用するときには、通常は形状および他の詳細が変更される。従って、示された実施例の媒体パック２５１は、対面媒体シートに固定された縦溝流路付き（波形の）媒体シートを含み、かつ対面媒体シートが外側に向けられた状態で巻きつけられた渦巻状Ｚ型フィルタ媒体構成物を含む。
【００９９】
媒体パック２５１は、入口面２５２と出口面２５３との間で空気が通り抜けないように一般に閉じられており、空気はろ過されて（縦溝流路付きまたは対面）媒体シートを通過する。
【０１００】
ハウジングシール構成物２５７は、隣接する出口端部表面２５３に取り付けられている。図示された実施例では、ハウジングシール構成物２５７は、ハウジングのシール部２５８と、高く成形された部分２５９とを含む。ハウジングシール構成物２５７は、代替手段は可能であるが、２００５年８月４日に公開され、引用により本明細書に合体される米国特許出願公開第２００５/０１６６５６１号に記載された同様の特徴と類似している。一般的な用語において、ハウジングシール部２５８は、フィルタカートリッジ２５０を使用するために配置するハウジング２０１の環状ハウジングシール表面２３０とともに外側に向けられた半径方向シールを形成するように構成されている。高く成形された部分２５９は、ハウジングシール構成物２５７を媒体パック２５１に取り付け構造を提供するが、別の取り付け方法も可能である。通常は、取り付けは恒久的である。通常の構成物では、ハウジングシール部分２５８は、シールを容易にするために支持体あるいはバックアップ部材の周囲に提供される。
【０１０１】
入口端部２５２に取り付けられたフレーム部材２６０は、媒体パック２５１を取り囲み、例えば、接着剤により媒体パック２５１に固定されたバンド２６１を含む。バンド２６１は、端部部分２６３と、バンド２６１上に取り付けられ半径方向に突き出ているハンドル部材２６４を含んでいる。ハンドル部材２６４は、通常は、フィルタカートリッジ２５０が取り付けられるとき、図１４のアクセスカバー２０６中のハンドル部材収容部２０４ｘ内に収容される大きさに作られている。このことは、２００６年３月２日に発行された国際特許出願公開第０５/１０７９２４号に説明されている。
【０１０２】
フレーム部材２６０は、フレーム部材の部分が入口端面２５２から出口端面２５３に向かって、入口端面２５２と出口端面２５３との間の距離の５０％以上の距離で延びていないように、好ましくは、この距離の３５％以上の距離で延びていないように、一般に構成されている。
【０１０３】
フレームピース（部材）２６０は、さらに、端部部分２７０を含んでおり、端部部分２７０は、媒体パック２５１から軸方向外側に、通常、入口端面２５２とオーバラップして出口端部２５３から離れる方向に突き出ている。端部部分２７０は、所望であれば、取り付けの間に、ハウジング２０１の一部との係合を滑らせるための係合部材あるいは構成物を提供する。
【０１０４】
フレームピース２６０は、さらに、構造安定性のために入口端面２５２を越えて伸びている支柱または延長構成物２７５を含む。またある場合に、延長構成物２７５の一部は、取り付けの間に、滑る方法でハウジングに係合する。
【０１０５】
図６は、フィルタカートリッジ２５０の上から下に見下ろすときに見られる特徴を示しているフィルタカートリッジ２５０の平面図を示しており、ハウジングは図１４に示されるように向けられた状態で設置するように向けられている。フィルタカートリッジ２５０の側部２８０の反対側の見えない側部は、図の側部２８０の鏡像として類似の特徴を通常有する。
【０１０６】
また、図６を参照すると、フィルタカートリッジ２５０は、図１６の突起/受容部構成物２９１の第１部材２９０を含んでいる。突起/受容部構成物２９１の第１部材２９０は、フレームピース２６０上に、通常はフレームピース２６０の一体部分として配置されている。図１６の第２部材２９２は、以下で議論するように、対応するハウジング２００の一部として配置されている。示された実施例に対して、突起/受容部構成物２９１の第１部材２９０は、少なくとも１つ、示された実施例では２つの突起部材２９５を含んでいる。さらに、特に突起/受容部構成物２９１の一部として突起部材２９５の機能操作に関して、以下に図１７と関連して議論する。
【０１０７】
ここで、曲線状側部端部２８２に向かって得られる図１１のフィルタカートリッジ２５０の側面図を参照する。フィルタカートリッジ２５０は、対向する側部２８０、２８１と対向する曲線状側端部２８２、２８３（図６）とを含んでいる。通常の実施例では、楕円形形状の媒体パック２５１は競馬場形状を有し、側部２８０、２８１の中央部分は、一般に互いに平行に延びており、曲線状端部２８２、２８３は、一般に半円（円形）であり互いに対向している。
【０１０８】
図１１を参照すると、フレーム部材２６０は、バンド２６１と共に見ることができる。端面２６３上にハンドル部材２６４が見える。通常は、バンド２６１は、バンド２６１に一体に鋳型成形された特徴を有する単一の一体鋳型成形された（プリフォーム）プラスチックユニットを含むが、代替手段は可能である。成形後に、バンド２６１は、示された位置、すなわち、上および（入口）端部２５２周辺部に、接着により媒体パック２５１に固定される。
【０１０９】
図１１を参照すると、示された実施例では、フィルタカートリッジ２５０の対向する各側部は、突起・受容部構成物２９１の第１部材２９０を含んでいることが注目される。図示された特別の実施例では、フレーム部材２６０の対向する側部２９８、２９９は、一般に、同じであり、互いに鏡像として配置されている。
【０１１０】
図１２は、フィルタカートリッジ２５０の概略的端面図を示している。図１２は、媒体パック２５１の出口端部２５３に向かって得られる図であり、媒体パック２５１中の各流れの縦溝流路と縦溝流路シールとは示されていない。図１２を参照すると、媒体パック２５１の一般的形状が示されている。すなわち、一般に互いに平行な中央部分を有する対向する側部２８０、２８１と、対向する半円の曲線状側端部２８２、２８３とが楕円形（この例では競馬場）形状を形成する。出口端面２５３を横切って延びているフレーム構造８０５がグリッドワークとして提供される。フレーム構造８０５は、取り付けの間にハウジングシール２５８を支える支持体部材３６２と一体に形成することができ、図１９と関連して以下に議論される。
【０１１１】
図１２では対向する指収容部２６４ａ、２６４ｂと下にある外カバー部材２６４ｃ、２６４ｄとをそれぞれ含むハンドル部材２６４を見ることができる。ハンドル部材２６４は、フィルタカートリッジ２５０が取り付けられるとき、図１４の収容部２６４ｘ内にフィルタカートリッジ２５０を収容するための大きさに作られている。
【０１１２】
また、図１２を参照すると、示された実施例では、フィルタカートリッジ２５０の対向する各側部２８０、２８１は、同じ状態で反対側に取り付けられた突起/受容部構成物２９１の第１部材２９０を含んでいる。示された実施例では、フィルタカートリッジ２５０は、媒体パック７００の１つの側部２９０上に突起部材構成物２９５ａと対向する側部上に突起部材構成物２９５ｂとを含んでいる。
【０１１３】
ここで、図１３の入口端部または面２５２に向かって得られるフィルタカートリッジ２５０の端面図に注目する。フレーム部材２６０は、媒体パック２５１の入口端部２５２から外側に延びて突き出ているリム２７０を含んでいる。交差支柱構成物２７５は、入口端面２５２に交差して延び、強さと剛性を提供する。
【０１１４】
図１５に示された特別のハウジング２０１では、フィルタカートリッジ２５０は、ハウジング環状シール表面２３０とシール係合して取り付けられるように構成されかつその大きさに作られている。さらに、フィルタカートリッジ２５０は、取り付け工程のための大きさに作られており、フレームピース２６０に配置された入口端部２５２がスライド斜面２３７で所望の範囲まで滑って係合する（すなわち、滑る係合を有する取り付けはかならずしも必要ではないが、少なくとも取り付けの後段階の間に使用されると、フィルタカートリッジ２５０を適切に配置するのに役立つ）。そして、挿入後に、フィルタカートリッジ２５０は、シール構成物中に、すなわち、取り付け位置に傾いて入れられる。一旦、フィルタカートリッジ２５０が取り付け位置に入れられると、突起２３８がハウジング２０１内のフィルタカートリッジ２５０を固定するために図１３のリム２７０の領域２７０ｘ（図１３）に対して傾いていることが注目される。
【０１１５】
図１６に、取り付け位置にフィルタカートリッジ２５０を取り付けたハウジング２０１を含むエアクリーナ２００（図１５）の断面図を概略的に示す。図１６は、図１５に類似する断面図である。
【０１１６】
図１６を参照して、まず、ハウジングシール部材２５８（フィルタカートリッジ２５０の隣接する出口端部または面２５３）と、ハウジング２０１中の環状シール表面または部材２３０との間の係合に注目する。係合は、外側に向けられた半径方向シール構成物を通っており、係合の部分拡大図を図１９に示す。
【０１１７】
図１９を参照すると、環状シール部材２３０は、Ｕ形状の受容部２０１ｕによって外側の壁２０１ｏから間隔をあけて配置されたハウジング２０１の内部２０１ｉ中に軸方向に突き出ているフランジ部材２３０ａを含んでいる。受容部部分２０１ｕは、使用中に、フィルタカートリッジ２５０の周囲の第１環２０１ａから空気流れを受け入れる環状領域としての大きさに作られて配置されている。この空気流れは、通常は、第１環２０１ａから直接に、すなわち、空気が最初に媒体パック２５１を通り抜ける必要無しに、受け入れられる。さらに、フランジ部材２３０ａの基部部分２３０ｉは、ハウジングシール構成物２５８を超えて延びている。図示された構造の結果として、空気流れは、使用中のハウジングシール部材２５８と係合する場所を除いて（フランジ部材２３０ａがハウジング２０１の残りの部分と係合する基部領域２３０ｂで）その対向する側部上でフランジ部材２３０ａを通過する。空気流れは、フランジ部材２３０ａとハウジングシール部材２５８を冷却するのを助ける。この空冷効果は、以下で説明されるような発泡ポリウレタンを通常含むシール部材２５８の熱的安定度を容易にする。この特徴は、使用の間に熱蓄積が大きい乗り物のフードの下にエアクリーナ２００が取り付けられるとき特に有用である。
【０１１８】
図１９では、シール構成物２５８とハウジングシール表面２３０との間のオーバラップが示されており、オーバラップは通常の取り付けの間の部材２５８の圧縮量を示している。
【０１１９】
従って、実施例のエアクリーナ２００（そこでは、ハウジング２０１がコンポーネントである）は、ハウジング２０１の内部２０１iで入口部２１０に向かって延びている突起２３０ａを含む環状シール構成物２３０と、ハウジング外壁２０１ｏとフィルタカートリッジ２５０との間でハウジング２０１の環状領域２０１aから空気流れを受けるために環状領域を画定するために配置された外部表面２３０ｏとを含んでいる。この空気流れは、シールが外側の環状ハウジングシール構成物２５８で形成される領域で環状シール支持体２３０を冷却するのを助ける。
【０１２０】
再び空気流れ出口端部２５３の図１２を参照すると、交差支柱構造８０５と図１９のシール支持体３６１とを含むフレームピース３６０を媒体パック上に有する実施例の媒体パック２５１を示す。シール支持体３６１は、支持体３６２とハウジング環状シール部材２３０との間でハウジングシール部材２５８を配置するために配置された突起部材３６２を含んでいる。シール支持体３６１は、シール部材３６１をバックアップするための適切な向きでシール支持体として伸びまたは突起部材３６２を支える。そのようなシール構成物は、２００５年７月１４日に公開され、本明細書に引用により合体される国際特許出願公開第０５/６３３６１号中に一般に説明されている。
【０１２１】
通常は、シール領域２５８は、軸方向に媒体パック２５１の出口端面２５３を超えて、対向する入口端面２５２の方向の位置に配置されている。すなわち、ハウジング環状シール部材２３０をシールして係合するシール領域２５８は、通常は、媒体パック２５１の周りに延びておらず、むしろ、媒体パック２５１から軸方向外側に媒体パック２５１から対向する入口端面２５２の方向に離れて突き出ている位置に取り付けられる。
【０１２２】
本明細書に記載された原理は、媒体パックの周囲に延びているシール構成物を含む別のシール構成物と共に利用することができる。しかしながら、図示された特別のハウジング２０１に対しておよび本明細書に記載された基本フィルタカートリッジ２５０に対して、記載されたようなシール構成物２５７は普通であり、このシール構成物２５７中では、ハウジングシール部材２５８が媒体パック２５１から軸方向外側の位置に配置された半径方向外側に向けられたシール領域を含んでいる。
【０１２３】
さまざまな別の構成物は、シール支持体３６１を含む枠組み３６０を有する例示の実施例の適所位置の支持体３６２が実施例として意図されるように、シール支持体を配置するために使用することができることが注目される。
【０１２４】
本明細書に記載されるようなシール領域（および存在するなら高く成形された）を収容するのに使用可能な実施例のポリマー材料はポリウレタンである。実施例の使用可能なポリウレタンは、使用の間に体積増加する発泡ポリウレタンである。好ましい発泡ポリウレタンは、鋳型のキャビティ（通常は少なくとも８０体積％）を満たすために少なくとも４０体積％増加し、３０ポンド／立方ｆｔ（０.４８ｇ／ｃｃ）以下の密度、通常は、２２ポンド／立方ｆｔ（０.３５ｇ／ｃｃ）未満、通常は１０ポンド／立方ｆｔ（０.１６ｇ／ｃｃ）〜２２ポンド／立方ｆｔ（０.３５ｇ／ｃｃ）の範囲の鋳型成形密度と、３０未満、好ましくは２５未満で通常は１０〜２２の範囲内の（シェアＡ）硬度とを有する。もちろん、この範囲外のポリウレタンもを使用することができるが、特徴付けられた発泡ポリウレタンは、製造と取り扱いに対して有利である。
【０１２５】
図１６を参照すると、比較的長いフィルタカートリッジ２５０がハウジング２０１の取り付け位置にあるとき、ダスト充填の間、ハウジングシール構成物２５６（シール部材２５８とフレームピース３６０を含む）との係合が起こるところで、好ましくない応力あるいはひずみが媒体パック２５１の領域３９０で問題となり得る。すなわち、（ａ）ダスト充填下で、媒体パック２５１中に実質的な重量増加がダスト充填により起こる、例えば、ダスト充填により２〜４倍のフィルタカートリッジの重量増加が起こる。（ｂ）通常の使用条件下で、例えば、乗り物のエアクリーナとしてかなりの振動と衝撃が起こる。したがって、比較的長い媒体パック２５１を持つ隣接する端部２５２が動くと、シール部材２５８でフィルタカートリッジ２５１の片持ち取り付けの結果として、傷の無い媒体パックを損傷または損失する。この説明したような問題は、比較的長い媒体パック２５１、すなわち、通常は、対向する（入口と出口）流れ端部または表面２５２、２５３の間で少なくとも２３０ｍｍの長さを持っている媒体パック２５１では悪化する。
【０１２６】
媒体パック２５１の損傷を抑制し、従ってフィルタカートリッジに傷を付けないために、媒体支持体構成物が、入口端部２５２に隣接する（すなわち、入口端部２５２かまたはそこからわずかに間隔をあけて配置された）領域中に、しばしば、入口端部２５２から１００ｍｍ以下、通常は、５０ｍｍ以内、時々には３０ｍｍ以内の領域に提供される。また、バンド２６１（フレーム部材２６０）上にある媒体支持体構成物は、通常は、端部２５２から媒体パック２５１の長さの５０％未満、通常はこの長さの３５％未満に配置される。この位置の支持体構成物は、フィルタカートリッジ２５０とハウジング２０１との間で係合を提供するように構成されており、フィルタカートリッジ端部２５２が容認できないレベルの動きを抑える。
【０１２７】
図６〜１９の構成物では、そのような支持体構成物は、ある有利な特徴を持つ少なくとも１つ、通常は２つの対向する突起/受容部構成物２９１を設置することによって提供される。この理解に対して、最初に図１７を注目する。
【０１２８】
図１７を参照すると、アクセスカバー２０６が適所位置にある状態で、図１６の線１７−１７に沿って一般的に得られるエアクリーナ２００の概略的部分拡大断面図を示す。図１７に示すエアクリーナ２００の部分断面図は、ハウジング２０１との係合が理解できるように、突起/受容部構成物２９１の一部、特に図１２の突起構成物２９５ｂを通ってかつ下向きに配置された図である。断面位置の結果として、媒体パック２５１の部分が図１７中で見えないことが注目される。
【０１２９】
図１７を参照すると、入口部２０２（完全には見えていない、図１６参照）は、３７０で取り付けられており、出口部２０３（完全には見えていない、図１６参照）は、領域３７１で取り付けられている。２０６で、アクセスカバーが部分的に見える。アクセスカバー２０６はもちろんハウジング部２０１の残りの部分から取外し可能である。
【０１３０】
また図１７を参照すると、図１２と１３のフィルタカートリッジ２５０に取り付けられた２つの矢２９５ｂは、突起/受容部構成物２９１の第１部材を示している。特に、２つの矢２５５ｂは、突起または突起部材３７７、３７８を示す。フィルタカートリッジ２５０上の突起３７７、３７８の方向は図１２に示されている。図６と図１２の突起部材３７７ａ、３７８ａは、突起部材３７７、３７８に類似の部材であるが、フィルタカートリッジ２５０の対向する側部２８０上にある。
【０１３１】
また図１７を参照すると、２つの矢３８０は突起/受容部構成物２９１の第２部材を示し、矢３８０は、２つの間隔をあけて配置された受容部部材３８１、３８２を示している。この実施例では、受容部部材３８１、３８２を含む第２部材３８０は、ハウジング２０１中で、特定のフィルタカートリッジ収容部部分２０５中で、突起/受容部構成物２９１の第１部材２９５ｂと係合するのに適切な位置に配置されている。通常は、ハウジング部２０５は、突起/受容部構成物２９１の第２部材３８０がハウジングと一体成形された状態で、鋳型成形されたプラスチックコンポーネントである。示された実施例に対して、受容部部材３８１、３８２は静止（動かない）部材であり、すなわち、受容部部材３８１、３８２は、ハウジング部２０５中の特定の基部２１４中に、動かないように配置されている。
【０１３２】
また図１７を参照すると、取り付けの間、アクセスカバー２０６を取外した状態で、フィルタカートリッジ２５０（図６）は、例えば、斜面２３７と端部ピース２７０との係合をいくらか滑らすことによって、ガイド誘導されて取り付けられる。次に、フィルタカートリッジ２５０は、図１６のシール（取り付け）位置で、回転または傾けられるとき、突起部材３２７は、受容部３８１と取り付け係合中に最終的な取り付け位置（図１７）で回転するかまたは傾く。また、示された実施例では、部材３７７は、部材３７７上に突起先端３８７を含む。先端３８７は、取り付けられるとき、アクセスカバー２０６に向かって突き出るように配置されている。
【０１３３】
ここで図１８を参照すると、図１７の一部の部分拡大図、特に、突起３７７と受容部３８１とを含む突起/受容部構成物２９１の部分の一部が図示されている。アクセスカバー２０６は、側部３９１を含む支持構造、この例では、受容部ポケットかその中のインデント３９０を含んでいる。受容部インデント３９０と側部３９１は、アクセスカバー２０６が適所位置に固定されるとき、フィルタカートリッジ２５０がシールから離れて回転するまたは移るのを防ぐために、すなわち、突起３８７が受容部３８１との取り付け係合から離れて回転するのを防ぐために、支持体構造として先端３８７とその中の受容部８３１の一部３８１ａを係合する（この例では、受容する）ために配置されている。先端３８７は、部分３８１aと側部３９１との間で係合するように配置されている。したがって、一度取り付けられると、アクセスカバー２０６は、突起部材３７７が、結果として、対応するフィルタカートリッジ２５０が、取り付け係合（取り付けられた位置）から矢印３９３の向きに動く（移し入れるかまたは回転する）のを防ぐ。さらに、図１７の受容部３８１内の突起３７７および受容部３８２内で突起３７８を受け入れると、振動、および/または、衝撃により、および／または取り付け係合からの図１６の隣接する端部２５２で、フィルタカートリッジ２５０の許容量を超えた移動を禁止する。アクセスカバー２０６が、対向するまたは第２突起/受容部構成物を類似して係合するために、フィルタカートリッジ２５０の対向する側部に配置された類似構造を含むことができることが注目される。
【０１３４】
上記から、エアクリーナ２００は、突起/受容部構成物２９１を含み、突起/受容部構成物２９１が一度取り付けられると、フィルタカートリッジ２５０の端部２５２の片持ちばりの動きを抑制することが理解される。これは、振動と衝撃の間に前に議論された領域３９０での応力を軽減する。
【０１３５】
また図１８を参照すると、示された実施例において、受容部３８１は側壁または側壁部の間にポケット形状部を持っており、ポケット形状部は、示された実施例において、（１）図６のフィルタカートリッジ２５０の曲線状側端部２８２に向かって配置された側部３７７ｘと（２）図６のフィルタカートリッジ２５０の曲線状側端部２８３に向かって配置された支持体側部３７７ｙの両方の上で、すなわち、端面２５２、２５３または入口部２０２と出口部２０３との間の流れ方向に、交差し、垂直でない方向で、（そして、実施例では、流れ面２５２、２５３に平行でない（すなわち、非平行））突起３７７を支える方法で突起３７７を受け入れる。この支持体は、ハウジング内で、フィルタカートリッジ２５０の故意でない動きを抑制するのを助ける。したがって、実施例の受容部３８１は、その間に受容部またはポケットを画定する、少なくとも２つの、非平行な側壁部３８１ｘ、３８１ｙを持つ。
【０１３６】
支持体を容易にするために、示された実施例に対して、突起３７７と受容部３８１の両方は、少なくとも２つの分かれる（非平行な）側壁部をもつ、一般に図１８のＶまたは「チェックマーク」形状で提供され、示された実施例では、中央頂点または頂点領域が存在し、エアクリーナ２００の出口部分２０３向かって配置され、かつ図１７のエアクリーナ２００の入口部２０２から離れる２つの側部間に頂点ポイントが提供される。また図１８を参照すると、これを達成するために、突起３７７は、実施例では、頂点３７７ｚで互いに係合している側部３７７ｘ、３７７ｙで提供されるが、代替手段が可能である。また、受容部３８１は、互いからそれており（そして示された実施例では、中央頂点または頂点領域３８１ｚで係合している）側部３８１ｘ、３８１ｙを提供するが、代替手段が可能である。
【０１３７】
示された特別の実施例に対し、突起３７７の側の３７７ｘおよび受容部３８１の側部３８１ｘは、図１７の入口部２０２と出口部２０３の間の方向に平行またはほぼ平行な方向に伸びている（および方向に沿って係合する）。また、側部３７７ｙと側部３８１ｙは、対応する側部３７７ｘと側部３７７ｙに対してある角度で、通常は、少なくとも２０°でかつ８０°未満の角度で、示された実施例では２５°〜５５°の範囲で、しばしば、３５°〜５５°の範囲で、延びている（係合している）が、代替手段が可能である。図６では、側部３７７ｘ、３７７ｙの間の角度はｘで示され、図１８において、側部３８１ｘと３８１ｙの間の角度はｙで示される。従って、側部３７７ｙと３８１ｙは、フィルタカートリッジ２５０の入口面と出口面（２５２、２５３）の間の方向を横切る方向に伸びている。示された実施例において、延長部分は、この方向に垂直でない角度である。
【０１３８】
頂点領域３８１ｚで、受容部８３１は、フィルタカートリッジ２５０の取り付けの間に、突起３７７が受容部３８１に押し込まれるとダストがそこを通過できるように、オプションに、開口構成物あるいは同様の構成物を提供することができる。
【０１３９】
より一般的な用語では、図１７に示された突起/受容部構成物２９１に対して、第１部材（例えば、突起部材３７７）は、フィルタカートリッジ２５０上に配置され、第２部材（例えば、受容部部材３８１）はハウジング２０１の第１側壁上に配置される。２つは、アクセスカバー２０６を取り付けるとき、フィルタカートリッジ２５０をシールまたは取付（取り付けられる）位置へ回転する間に、突起部材３７７が受容部部材３８１と係合してフィルタカートリッジ２５０を適所位置で確実に保持するように配置されている。これは、突起/受容部構成物を画定することによって達成され、突起/受容部構成物中では、第１部材、すなわち、突起部材３７７は、第２部材、すなわち、受容部部材３８６によって、受容部部材３８６中に保持されている。これは、第１Ｖ字形突起３７７と第２Ｖ字形受容部３８１を利用することによって図１７の実施例中で提供され、第２Ｖ字形受容部３８１は第１Ｖ字形突起３７７を受容して保持する大きさに作られている。
【０１４０】
示された特別の実施例に対して、突起３７７と受容部３８１は、開口端部３７７ｅ、３８１ｅ（すなわち、対応する側壁に対して離れる方向または端部）が、フィルタカートリッジ２５０の入口端面２５２およびハウジング２０１の入口端部２０２にそれぞれに向けられた状態で、かつ、その頂点３７７ｚ、３８１ｚ（すなわち、対応する側壁の集中する方向または端部）がフィルタカートリッジ２５０の出口端面２５３およびハウジング２００の出口端部２０３にそれぞれに向けられた状態で配置されている。
【０１４１】
更に、フィルタカートリッジ２５０上に取り付けられた突起/受容部構成物２９１の部材、この場合、突起部材３７７は、フィルタカートリッジ２５０が取付（取付けられた）位置にあるとき、受容部３８１とアクセスカバー２０６の一部３９１との間に配置される先端部３８７に提供される。図６に示された特別の構成物に対して、先端部３８７は、突起構成物２９１の突起部材３７７の第１側壁３７７ｘ上に配置され、フィルタカートリッジ２５０の曲線状側端部２８２に向かって突き出ており（かつ突起部材３７７の第２側壁３７７ｙから離れており）、突起部材３７７、従って、フィルタカートリッジ２５０を設置時に適所位置に固定するために、アクセスカバー２０６と受容部３８１の部分との間に鋏まれる。さらに、図１８を参照すると、突起部材３７７と受容部部材３８１とを含む突起/受容部構成物２９１の部分は、本明細書では、時々、突起/受容部カップル２９１ａと呼ぶ。
【０１４２】
図１７を参照すると、突起/受容部構成物２９１は、フィルタカートリッジ２５０（図１２）の側部２８１に沿って突起/受容部カップル２９１ａから間隔をあけて配置された第２突起/受容部カップル２９１ｂを含むことが注目される。これは更なる安定を提供する。突起/受容部カップル２９１ｂは、突起部材３７８と受容部部材３８２を含む突起/受容部構成物を含む。示された実施例に対して、それぞれが対向する側部で（固定する先端を除いて、既に第１突起/受容部カップル２９１ａに対して記載されたような）「Ｖ」または「チェック」形状を有する。したがって、受容部３８２は、中央頂点あるいは頂点領域８３２ｚの周囲に側部８３２と８３２を持っており、突起２７８は、中央頂点あるいは頂点領域３７８zの周りに側部３７８ｘ、３７８ｙを含んでいる。
【０１４３】
議論された図から、フィルタカートリッジ２５０と、アクセスカバー２０６と、ハウジング２０１の残り部分との間で通常の好ましい固定するための係合に対して、しばしば、少なくとも２つ、ある場合には４つのカップルが提供され、後者では、２つがフィルタカートリッジ２５０の各側部上に配置され、対向する側部は、鏡像であることが理解される。
【０１４４】
次に、図６〜１９と図６〜１９に関する上記特徴付けから、以下と一致する一般的な原理と所見を理解することができる。１つの態様において、エアクリーナは、ハウジングの空気流れ入口部に向かって突き出ている内部フランジを含む基本フィルタカートリッジハウジングの半径方向シール表面を持つハウジングを提供する。フランジは、フィルタカートリッジとハウジング側壁の間で、ハウジング内に収容されたフィルタカートリッジの周辺部の第１空気流れ環と流れ連絡して、ハウジング内で、その周辺部に空気流れの環状部または領域を画定するように構成することができる。通常の応用では、内部フランジ２３０ａは、少なくとも２０ｍｍ、通常は２５〜３５ｍｍの範囲内でかつ通常は４０ｍｍ以下で、通常は、少なくとも２.５ｍｍ厚さ、通常は２.５〜４.５ｍｍ厚さでかつ通常は５ｍｍ以下である。また、ある応用では、内部フランジは、半径方向内部に配置された基部端部部分２３０ｂを持ち、基部端部部分２３０ｂは、フィルタカートリッジを取り付ける時（図１９参照）、フィルタカートリッジハウジングシール部材２５８によって被覆されないのが少なくとも３ｍｍ、通常は３〜７ｍｍ、通常は７ｍｍを超えない延長部分を持つ。
【０１４５】
ハウジング２０１が、別の２つの異なる長さのフィルタカートリッジなどを収容するために構成されているか否かに関わらず、空気流れ入口部２０２に向かって突き出ている内部フランジ２３０をハウジング２０１内に提供することができる。
【０１４６】
別のあるいは第２態様において、エアクリーナアセンブリ２００は、内部を画定し、空気流れ入口部と空気流れ出口部とを持つハウジング２０１と、空気流れ入口部と空気流れ出口部との間で基本フィルタカートリッジ収容部部分と、基本フィルタカートリッジのハウジングの半径方向シール表面とを含んで提供される。基本フィルタカートリッジのハウジングの半径方向シール表面は、以前に議論された内部フランジで画定できる場合があるし画定できない場合もある。ハウジングは、選択の問題として、フィルタカートリッジの１つの長さ（または、２つ以上の長さ）だけを収容可能とするように構成される。
【０１４７】
この他のまたは第２態様において、第１の取外しと取替え可能な基本フィルタカートリッジは、ハウジング内に配置される。基本フィルタカートリッジは、入口流れ面と対向する出口流れ面を持つ媒体パックを含む。媒体パックは、通常は、入口流れ面と対向する出口流れ面との間に延びている複数の縦溝流路を含む。媒体パックは、入口流れ面と出口流れ面の間で、媒体パックを通る濾過されていない空気が通り抜けないように閉じている。このことにより、空気が入口流れ面に入って出口流れ面を出る場合、媒体を通過することによって、空気が濾過されなければならないことを意味する。基本フィルタカートリッジは、取り付けのために、ハウジングシール部材を含むかまたはハウジングシール部材が提供される。示された実施例では、ハウジングシール部材は、基本フィルタカートリッジのハウジングの半径方向シール表面と半径方向で係合する半径方向シール部、部材または表面を提供する。
【０１４８】
この他のまたは第２態様において、エアクリーナは、さらに第１突起/受容部構成物を含んでいる。第１突起/受容部構成物は、ハウジング内部壁に固定された（通常静止した）第１受容部部材を含んでいる。第１突起/受容部構成物は、通常は、その間に受容部空間を画定する少なくとも第１と第２（通常は、非平行）側壁部を含んでいる。第１突起部材は、第１の取外しと取替え可能な基本フィルタカートリッジ上に配置される。第１突起部材は、第１受容部部材の第１側壁部と第２側壁部との間の受容部空間中で、少なくともその一部に配置されている。示された特別の実施例では、突起部材は、取り付けの間に、受容部空間の少なくとも第１、通常は、第１側壁部および第２（通常は非平行）側壁部に係合するように構成されている。
【０１４９】
示された実施例では、第１受容部部材の第１側壁部および第２側壁部は、互いに平行でなく、そして、例えば、エアクリーナの入口に向かって伸び互いに分かれる。そうすることによって、第１側壁部および第２側壁部は、基本フィルタカートリッジの取り付けか取外しの間に、第１突起部材が中にまたは第１側壁部および第２側壁部から傾くことができるポケットあるいは受容部を形成する。アクセスカバーは、支持体構造、例えば、ポケット、くぼみまたは肩部構成物を提供することができるが、アクセスカバーが取り付けられるとき、受容部またはポケット内に取り付けられた位置から傾くのを禁止する、代替手段が可能である。
【０１５０】
説明された実施例において、第１突起部材は、例えば、第１の取外しと取替え可能な基本フィルタカートリッジの入口流れ面に向かって伸び互いに非平行な（すなわち、互いに分かれる）第１側壁部および２側壁部を含む。
【０１５１】
実施例では、第１突起部材は、第１突起部材上にアクセスカバーに向かって配置された固定先端（locking tip）を含む。固定先端は、フィルタカートリッジの第１受容部部材と入口流れ面との間に配置されている。さらに、この実施例では、アクセスカバーは、アクセスカバーが平面中にあるとき、（第１突起/受容部構成物の）第１突起部材の第１固定先端が第１受容部ポケット中に向かって配置された第１受容部ポケットを含んでいる。その結果、アクセスカバーの第１受容部ポケットは、第１固定先端が取り付け位置から離れて傾くのを固定する固定肩部を含んでいる。アクセスカバーは、このような係合のために、フィルタカートリッジの対向する側部で、類似のポケットあるいは他の構造を含むことができる。
【０１５２】
さまざまな代替手段は可能であるが、示された実施例において、フィルタカートリッジは、対向する第１側部と第２側部と、対向する第１曲線状側部と第２曲線状側部を有し、第１突起部材はフィルタカートリッジの第１側部に配置される。
【０１５３】
説明された実施例では、第２突起/受容部構成物は、第１突起/受容部構成物の第１受容部部材の対向するハウジングの内部壁に固定された（通常、静止した）第１受容部部材と、第１および第２突起/受容部構成物の間に配置された第１の取外しと取替え可能なフィルタカートリッジとともにエアークリーナ内に提供される。第２突起/受容部構成物の第１部材は、互いに非平行な少なくとも第１側壁部と第２側壁部とを含み、通常は、互いから分かれて、例えば、入口部に向かって伸び互いに分かれて受容部またはポケットを形成し、第２突起/受容部構成物の第１突起部材は、第１の取外しと取替え可能な基本フィルタカートリッジ上に配置され、第２突起/受容部構成物の第１受容部部材の第１側壁部および第２側壁部の間で、受容部あるいはポケット内で少なくともその一部に配置される。示された特別の実施例において、第２突起/受容部構成物の突起部材は、その間に配置された、第２突起/受容部構成物の第１受容部構成物の第１側壁部材と第２側壁部材に係合している。
【０１５４】
第２突起/受容部構成物は、アクセスカバー中の支持体構造によって係合するために、第１突起/受容部構成物に対して説明された先端に類似している先端を含むことができる。
【０１５５】
また、エアクリーナに対して上記特徴付けられた特徴と一致する一般的な特徴を有するフィルタカートリッジが記載されている。例えば、フィルタカートリッジは、入口流れ面と対向する出口流れ面を持つ媒体パックを含み、入口流れ面と対向する出口流れ面との間で延びる複数の縦溝流路を含む。媒体パックは、一般に、入口流れ面と出口流れ面との間で、媒体パックを通過する濾過されていない空気が通り抜けないように閉じる。シール部材は、媒体パック上に、例えば、流れ面に隣接して、通常は、出口流れ面に配置され、示された実施例では、半径方向の外側に向けられた半径方向シール部材または表面を含んでいる。
【０１５６】
プリフォーム支持体は、入口流れ面に隣接する媒体パック上に配置され、プリフォーム支持体は、その上に突起/受容部構成物の第１部材を含み、第１部材は、通常は非平行な、すなわち、示された実施例では入口流れ面に向かって伸び互いに分かれる、少なくとも第１側壁部および第２側壁部をもつ少なくとも第１突起部材を含む。
【０１５７】
通常は、第１突起/受容部構成物の第１部材は、入口流れ面から１００ｍｍ未満の位置で媒体パック上に配置される。
【０１５８】
さらに別の総論において、特徴付けられたような媒体パックと特徴付けられるようなシール部材とを含むフィルタカートリッジが提供される。第１突起/受容部構成物の第１部材は、媒体パック上に、入口流れ面から１００ｍｍの位置以内、通常は５０ｍｍ未満、時々は３０ｍｍ以内の位置で、かつ、入口流れ面から媒体パックを横切る５０％未満の距離で、通常は、３５％未満以内の距離に配置される。第１部材は、隣接する媒体パックから外側に延びている第１突起部を含み、かつ、入口流れ面と出口流れ面の間に一般的に配置される第１突起壁セグメントと、一部が入口流れ面と出口流れ面の間の方向を一般に横切って配置される第２突起壁セグメントのうちの少なくとも１つを含む。示された特別の実施例では、第１突起部材の第１部材は両方を含む。しかしながら、本明細書に記載された技術のすべての応用において、安全な取り付け位置が達成可能である限り、両方が存在するという特別な必要性は全くない。もちろん、第２突起受容部構成物の第１突起部材がフィルタカートリッジの対向する側部に取り付けることができる。
【０１５９】
図１７と１８を参照すると、示された突起/受容部構成物２９１に対して、受容部部材３２７は、フィルタカートリッジ２５０の入口流れ面と出口流れ面の間に一般に配置される第１側部３７７ｘを含む。また、２つの対向する流れ面に直接的に平行であるのと対照的に、入口流れ面と出口流れ面の間の方向を一般に横切って、示された実施例では９０°未満の角度で、伸びている第２壁断部２７７ｙが示される。両方の壁部が存在することが図１７と１８に示された実施例から理解される。しかしながら、壁部の１つのみか他方が存在する場合には、何らかの安定化が起こる。これは以前に提供された概説と機能から理解されるだろう。
【０１６０】
Ｃ  フィルタカートリッジ上のハウジングシール構成物の実施例の変形
上記では、図６のフィルタカートリッジ２５０と関連して、特に、図１９の断面図を発展させる議論において、ハウジングシール構成物２５７の一般的な議論が提供される。図１０にシール構成物の概略的部分拡大断面図を示す。図１０を参照すると、シール構成物２５７は、この実施例では高い成形（overmold）部分２５９によって媒体パック２５１に固定されているハウジングシール部材２５８を含む。ハウジングシール部２５８は、最上先端領域２５８ｔから最厚シール領域２５８ｙまで増加するステップ（または、厚さ/突起）を定義する外側シール表面２５８ｓを含んでいる。取り付けられると、領域２５８ｙを圧縮する。図１９では、シール面２５８でのハウジング環状シール表面２３０とのオーバラップが示されている。実際の取り付けでは、重なり部（オーバラップ）は、シール構成物２５７がシールの間にどの位圧縮されるかを示している。
【０１６１】
また図１０を参照すると、支持体３６１は、その上に媒体パック端部２５３から軸方向に離れて突き出ているシールバックアップ支持体３６２とともに示される。使用時に圧縮するハウジングシール部材２５８は、シールバックアップ支持体３６２によってバックアップされている。
【０１６２】
フレームワーク（支持体）３６１は、図１２の交差支柱構成物８０５もまた含んでいる。領域３９９中にウレタンの立ち上がりを止めるために提供されるリップ３９８を注目する。これは、２００５年１１月９日に出願され、引用により本明細書に合体される米国仮特許出願第６０/７３５,６５０号で説明されている。
【０１６３】
ハウジングシール構成物の変形は可能である。図７に、媒体パック２５１に取り付けられたハウジングシール構成物４００の代替の断面図を示す。ここで、ハウジングシール部材２５８と高い成形部分２５９は、支持体３６２の表面３６２ｉに沿って高い成形部分が全くないことを除いて、同じである。したがって、ハウジングシール部材２５８の鋳型成形は、リップ３９８に対する類似の停止による停止で、支持体３６２の内面３６２ｉに沿った上昇を含まない。図７に示されたシール構成物と類似のシール構成物は、２００５年８月４日に公開され引用により本明細書に合体される米国特許出願公開第２００５/０１６６５６１号に記載されている。
【０１６４】
図８に、媒体パック２５１上に取付け可能なシール構成物４００の別の変形例を示する。ここで、フレームワーク３６１と支持体３６２が、例えば、鋳込み成形によって、シール構成物が固定されている別々のプリフォームピースとして提供される。次に、フレームピース３６１は、例えば、接着剤で媒体パック２５１に取り付けられる。このタイプのシール構成物は、例えば、米国特許第６,１９０,４３２号、米国特許第６,３５０,２９１号、米国特許第６,６１０,１１７号に記載され、引用により本明細書中に合体される。
【０１６５】
図９に、シール形状の変形例を示す。図９を参照すると、シール部材４１０ａが記載されている。このシール部材は、図７、図８および図１０に記載のシール構成物の多段ステップの定義を含むものではない。むしろ単一の傾斜した表面４１１が示されている。この形状は、高くする成形（overmold）、またはフレームピースとともに予め鋳型成形され、次に媒体パックに固定される構成物とともに実施されるか否かにかかわらず、いくつかの構成物で利用することができる。図９の構成物は、例えば、本明細書中に引用により合体される２００５年１１月９日に出願された米国仮特許出願第６０/７３５,６５０に記載されている。
【０１６６】
図７〜１０に関する上記議論から、本開示のコンポーネントが、さまざまなハウジングシール構成物と支持体で適用することができることが理解される。提供された実施例は、有用であり、実施するために前方で比較的まっすぐである。しかしながら、媒体パック２５１に類似する媒体パックに付ける（または媒体パック上に取り付ける）さまざまな代替手段を使用することができる。シール部材は、適所位置に鋳型成形することができ、支持体構成物は過剰成形によって固定される。しかしながら、示されるように、代替手段は可能である。
【０１６７】
ＩＶ  第２実施例のＺ型フィルタ媒体を利用する改良型エアクリーナ構成物
前に特徴付けられた原理から選択されたものの別の応用を図２０〜３３に提供する。最初に図２０に示されるエアクリーナ５００を注目する。一般に、エアクリーナ５００は、入口部５０２、対向する出口部５０３、および中央フィルタカートリッジ収容部５０５を含むハウジング５０１を有する。フィルタカートリッジ収容部５０５は、基部５１４、取外しと取替え可能なアクセスカバー５１５を含む。アクセスカバー５１５は、オーバー・センター・ラッチ５１６により適所位置に固定される。要求されるものではないが、通常の応用において、図２０で示されたものからエアクリーナ５００の反対の側部図は類似の特徴を持つ。
【０１６８】
また図２０を参照すると、出口部５０３は、空気流れ出口５１１を含んでいる。空気流れ出口は、エンジン空気取り入れホース、または、ダクトワーク、または、エアクリーナ５００が使用される他の装置に固定することができる。
【０１６９】
示された実施例において、入口部５０２は、端部５１０ａで入口を持つ複数の遠心分離管を通常含む第１ステージ・プレクリーナ５１０を有する。
【０１７０】
エアクリーナハウジング５０１は、その上に取付パッド構成物５２０を提供する。取付パッド構成物５２０は、エアクリーナ５００がさまざまな方向に取り付けられるように構成されている。図２０に示された特別な方向は、垂直方向であり、内部に収容されたフィルタカートリッジへのアクセスのために、アクセスカバーが引き上げられる。別の構成は、図２１の側部５２１上または反対の側部５２１ａに設置するものである。
【０１７１】
したがって、かなり特徴付けられたエアクリーナ５００の特徴は、２００６年３月２日に公開され、引用により本明細書に合体される国際特許出願公開第０５/１０７９２４号で記載されたエアクリーナの特徴に一般に類似している。
【０１７２】
また図２０を参照すると、入口のプレクリーナ部５１０は、ダスト落下管５２２を含んでいる。入口のプレクリーナ部５１０は、エアクリーナ５００が使用のために取り付けられるとき、ダスト落下管５２２が下向きに配置されるように、通常は配向される。従って、図２０のエアクリーナ５０００は、下向きのダスト落下管５２２を持って示されたような垂直方向に取り付けるために構成されている。ダスト落下管５２２は、使用システムに対して適切なような掃気構成物または排気弁に取り付けることができる。もちろん、ダスト落下管５２２は、エアクリーナ５００を側部上に取り付ける場合には、入口のプレクリーナ部５１０の異なる場所に向けることができる。このことは、２００６年３月２日に公開され、本明細書に引用により合体される国際特許出願公開第０５/１０７９２４号中に記載されている。
【０１７３】
ここで、図２１に示す入口のプレクリーナ部５１０に向かって取られた端面図に注目する。ラッチ接続点が５１６ｘで示され、その場所で、カバー５１５が適所位置に配置されると、通常は、５１６に類似のラッチによって締め付けられることが注目される。図中の５１６ｘにはラッチが配置されていないので、位置５１６ｘを完全な図面中で見ることができる。
【０１７４】
また図２１を参照すると、遠心分離管５１０ｘの各入口が５１０ｂで示されている。遠心分離管５１０ｘの数と位置は、かかわるシステムにおける選択の問題である。プレクリーナーの作動を最大にするために、許容される空間内で便利に管理されるようにできるだけ多くの遠心分離機を提供することが好ましい。
【０１７５】
本明細書で特徴付けられたものを除いて、エアクリーナ５００に対して内部に収容されたフィルタカートリッジの取り付けと取外しは、一般に、２００６年３月２日に公開された国際特許出願公開第０５/１０７９２４号で記載されたエアクリーナ構成物に対して特徴付けられるものであるが、代替手段が可能である。
【０１７６】
すなわち、アクセスカバー５１５は取り外され、（適所位置で外側に向けられた半径方向シールでシールされた）フィルタカートリッジは、（取り付位置で）シール係合から傾けられて、次に、ハウジングから取り外される。逆動作で、新しい（新品、または、洗浄された）フィルタカートリッジを取り付けることができる。
【０１７７】
前に図６〜１９に対して説明したように、エアクリーナ５００中で利用されるフィルタカートリッジは、比較的長く、例えば、約２３０ｍｍ以上であり、シール位置でフィルタカートリッジの片持ちばり支持体の結果として、振動および衝撃は、フィルタ媒体への何らかの損傷をもたらす。これは、図１６に対して上記説明したものに類似している。
【０１７８】
エアクリーナ構成物５００は、ハウジングとフィルタカートリッジの両方中で、この好ましくない動きに対する支持体を提供するために鋳型成形される。これに関して、ここで、図２２を注目する。図２２では、断面が、図２１の線２２−２２に沿って一般に得られる。図２２では、取り付けられたフィルタカートリッジの選択された部分だけが示されていることに注目される。このことは、以下での追加説明からさらに理解される。
【０１７９】
図２２のエアクリーナハウジング５０１は、特に、図２９〜３１のフィルタカートリッジ５５０をその中に収容するように特に構成されている。図２２において、フィルタカートリッジ５５０の唯一見える部分は突起部材５５１である。図２２を参照すると、基部５１４の適所位置にアクセスカバー５１５がある状態で、ハウジング５０１が示されている。図２０の壁５２１の一部は、エアクリーナと図２９のフィルタカートリッジ５５０上の突起部材５５１との相互作用を見るために取り除かれている。突起５５１は、突起受容部構成物５５５の第１部材を含み、第２部材は示されるような受容部５５７を含む。操作において、突起部材５５１は、フィルタカートリッジ５５０を取り付けるとき、受容部５５７中に受容されて、結合した突起/受容部に構成物５５５を提供し、突起部材５５１が受容部５５７の側部を係合する状態で、適所位置にフィルタカートリッジを固定する。アクセスカバー５１５は、安全な係合を提供し、シールされたあるいは取り付けられた位置からフィルタカートリッジ５５０の揺れやひっくり返りを避けるために、タブ５５８を含んでいる。
【０１８０】
図２０を参照すると、５５７ｏで、ポケットまたは受容部５５７の外または外側の外観を見ることができる。図２２の内部で、受容部５５７は、フィルタカートリッジ５５０がハウジング５０１中に挿入されるとき、突起５５４を収容するように配置されている。通常の受容部５５７は静止している、すなわち、ハウジング５０１の残りの部分に対して動かない。
【０１８１】
ここで、図２２の一部の概略的部分拡大図である図２３を注目する。図２３を参照すると、受容部５５７は、中央頂点あるいは頂点領域５５７ｃから伸び互いに分かれる第１と第２側壁または側壁部５５７ａ、５５７ｂを含むことがわかる。示された実施例では、壁５５７ａ、５５７ｂは、アクセスカバー５１５に向かって伸び互いに分かれ、かつエアクリーナハウジング５０１の図２１の底部端部５３０から分かれる。その結果、壁５５７ａ、５５７ｂは、図２１のフィルタカートリッジの曲線状側端部５３１の一般的な方向に向かって伸び互いに分かれる。
【０１８２】
図２３を参照すると、アクセスカバー５１５が（タブ５５８に沿って）取り外されるとき、突起５５１が壁５５７ａから壁５５７ｂに向かって、矢印５６１の方向に回転するすることができる。この回転の動きは、通常は、エアクリーナ５００内のシール（取り付）位置からフィルタカートリッジ５５０の揺れに関連している。
【０１８３】
アクセスカバー５１５が平面中にあると、タブ５５８は、受容部５５７中に突き出し、タブ５５８とポケット側壁５５７ａとの間に突起５５１を配置する。これは、タブ５５１の動き、従って、結果として起こるエアクリーナハウジング５０１内で安定して取り付けられてシールされた位置からフィルタカートリッジ５５０が離れるのを抑制する。
【０１８４】
図２４は、側部５２１、すなわち隣接する側部５２１ａからハウジング５０１の反対の側部で反対の受容部５５７ｘを示すのを除いて、図２３に類似する図を示している。ポケット５５７ｘは、鏡像として反対に配置されるのを除いて、ポケット５５７に類似するものである。突起またはタブ５５８ｘは、アクセスカバー５１５上に示されており、ポケットあるいは受容部５５７ｘ中にに突き出している。受容部５５７ｘは、側壁５５７ａｘ、５５７ｂｘを含み、アクセスカバー５１５（およびエアクリーナハウジング５０１の曲線状側端部５３１）に向かって伸び頂点領域５５７cｘから分かれる。
【０１８５】
図２４では、受容部５５７ｘがその中に配置された図２３の突起５５４に類似する突起無しで示されている。したがって、図２４は、アクセスカバー５１５が取り付けられているが、フィルタカートリッジ５５０はハウジング５０１中に配置されないときの受容部５５７、５５７ｘの１つの周囲領域を示す。
【０１８６】
図２５は、図２０のアクセスカバー５１５が取り外され、フィルタカートリッジが内部５０１ａに配置されていない場合のハウジング５０１ｘの残りに部分を示している。
【０１８７】
図２６に、図２５の一部の部分拡大図が示されている。図２６で、示された部分図は側部の部分５２１であり、特に、ハウジング５０１の外側から見た、受容部５５７を含む部分である。
【０１８８】
図２７では、エアクリーナ５００の端面図をアクセスカバー２０６が取り除かれかつプレクリーナー入口部５１０に向かって得られる状態で見ることができる。図２７の線２８−２８は、図２８の部分断面図に対して得られる断面図を示している。ここで、図は、アクセスカバーも内部の適所場所に収容したフィルタカートリッジも無い状態のポケット受容部５５７の図である。
【０１８９】
図２９〜３１では、フィルタカートリッジ５５０とその一部が見える。最初に図２９を参照すると、フィルタカートリッジ５５０は、第１流れ端部５８１と対向する第２流れ端部５８２とを持つ媒体パック５８０を有する。通常の実施例では、第１流れ端部５８１は入口流れ端部であり、対向する第２流れの端部５８２は出口流れ端部である。媒体パック５８０は、以前に説明された記載と一致する渦巻状Ｚ型フィルタ媒体パックを含む。第１流れ端部５８１に隣接する媒体パック５８０の端部の周辺部に、周囲に取り付けられたバンド５８６を含むプリフォーム構成物５８５が提供される。プリフォーム構成物は、図３１の対向する側部５８７、５８８と対向する側部５８９、５９０を含んでいる。また、ハンドル構成物５９１もまた端部５８９に提供される。図３９を参照すると、プリフォーム５８５は、媒体パック支持体のために第１流れ端部５８１に延びているグリッド構成物５９４を含んでいる。リム５９５は、所望であれば、滑る取り付け構成物とともに係合を提供するために第１流れ端部の表面５８１上に提供される。
【０１９０】
図２０を参照すると、取り付けるを容易にするために、５９７で、スライド取り付け台または斜面構成物の部分が示されている。
【０１９１】
従って、これまで特徴付けらたように、フィルタカートリッジ５５０は、一般に図６のフィルタカートリッジ２５０に類似するものであり得る。
【０１９２】
図２９を参照すると、突起部材５５１が側部５８７に隣接するプリフォーム５８５上に提供される。通常は、突起部材５５１は、プリフォーム５８５が媒体パック５８０に例えば、接着剤で固定される前に、プリフォーム５８５の残の部分と一体に形成される。示された特別の実施例に対して、フィルタカートリッジ５５０は、部材５５１からのフィルタカートリッジ５５０の対向する側部５８８で、突起部材５５１に類似する突起部材５５Iｘを含んでいる。したがって、部材５５１は、側部５８７上にあり、部材５５Iｘは側部５５８上にある。
【０１９３】
通常は、突起部材５５１は、端部５８１の１００ｍｍの距離内中に配置されている。
【０１９４】
図示された突起部材５５１は、側壁部または側部５５１ａ、５５１ｂを有している。側壁部または側部５５１ａ、５５１ｂは、頂点または中央の頂点領域５５１ｃから一般にハンドル構成物５９１に向かう方向でかつフィルタカートリッジ５５０の曲線状側端部５８９に向かう方向に互いに分かれている。突起部材５５１は、図３０の拡大部分図中でさらに詳細に示されている。
【０１９５】
図３０を参照すると、側壁部または側部５５１ａまたは５５１ｂと中央頂点５５１ｃとを含む突起部材５５１が示されている。一般に、側部５５１ａまたは５５１ｂは、８０°以下の角度Ｘ１で、通常は少なくとも１０°、通常は少なくとも２０°、通常は２５°〜５０°の範囲内で、互いに離れる方向に分かれるが、代替手段は可能である。突起部材５５１は、強度のために、追加された第３の、または、中央のレッグ（脚）または側壁部５５１ｆを含むことが注目される。
【０１９６】
また、図２９を参照すると、この場合、外側に向けられた半径方向シール部材として構成されたハウジングシール部材６０１を含むハウジングシール構成物６００が、端部５８２に隣接して配置されている。図７〜１０と関連づけて上記説明された変形例を使用することができる。図示された特別のハウジングシール構成物６００は、一般に、図１０のハウジングシール構成物に類似している。
【０１９７】
図６〜１９のエアクリーナ構成物２００の操作の理解と組み合わせた図２０〜３１のレビューから、ハウジング５０１に対するフィルタカートリッジ５５０の取り付けと取外しが理解される。図２０を参照すると、アクセスカバー５１５が取り外されると、図２５に示された構成物と類似の構成物が提供される。フィルタカートリッジ５５０は、図２９のハンドル５９１によって掴むことができる。フィルタカートリッジ５５０は、図２９で示された配置に保持され、アクセスカバー５１５を取外して得られる図２５の開口５０１ｏ中に挿入されるときに、取り付けることができる。所望であれば、フィルタカートリッジ５５０は、ガイド構成物５９７は利用して取り付けることができる。一度挿入されると、フィルタカートリッジ５５０は、ハウジング５０１内の環状シール表面とのハウジングシール部材６０１の係合を含むシール位置中に傾いて入れられる。傾いて入れる間、取り付けの間にポケット５５７中に受容されたタブまたは突起５５１は、壁５５７ａ（と通常は係合中に）に向かって傾いて入れられる。アクセスカバー５１５が適所位置に配置される場合、タブ５５８は動きに対してフィルタカートリッジ５５０を固定する突起５５１の後ろに配置される。類似のタブは、突起５５Iｘの後ろに配置される、突起５５１ｘは、突起５５７に対して対向する突起中に受容されて、さらに安定性を保障する。
【０１９８】
図２０〜３１で説明された原理とともに使用可能な代替の突起/受容部構成物は、図３２、３３で示される。図３２を参照すると、その中に受容部ポケット７３０を持つ側壁７０１ｘを持つハウジング７０１を有するエアクリーナ７００が示される。図３２は、一般に、図２６に類似している。受容部ポケット７３０は、中央頂点または頂点領域７３０ｃからそれている対向する側部７３０ａ、７０３ｂを含んでいる。
【０１９９】
図３３を参照すると、図２３の図に一般的に類似する断面図、内部に収容されたフィルタカートリッジ上の突起構成物７５０が、側壁７３０ａに対して受容部ポケット７３０内に配置されかつアクセスカバー７６１上のタブ７６０によってアクセスカバーに固定されて示されている。突起７５０は、一般に、中央頂点または頂点領域７５３から延長部分で互いにそれて延びている第１と第２外側の側壁部７５１、７５２を含んでいる。突起７５０は、第１と第２長さあるいは側壁部７５１、７５２の間に配置された第３の側部レッグ（脚）部材あるいは側壁部７５４を含んでいる。
【０２００】
より一般的な用語で、図６〜１９の構成物と同じようなエアクリーナアセンブリが提供される。エアクリーナアセンブリは、内部を画定し、アクセスカバー、空気流れ入口部、空気流れ出口部、空気流れ入口部と空気流れ出口部との間の基本フィルタカートリッジ収容部分と基本フィルタカートリッジの半径方向シール表面とを持つハウジングを含む。第１の取外しと取替え可能な基本フィルタカートリッジは、ハウジング中に取り付けられて配置される。基本フィルタカートリッジは、一般に、入口流れ面と対向する出口流れ面とを持つ媒体パックを含む。媒体パックは、入口流れ面と対向する出口流れ面との間で延びている複数の縦溝流路を含む。媒体パックは、入口流れ面と出口流れ面との間で、媒体パックを通る濾過されていない空気が通り抜けないように閉じている。
【０２０１】
基本フィルタカートリッジは、基本フィルタカートリッジのハウジングの半径方向シール表面と半径方向シール係合中でハウジングシール部材を提供する。シール構成物に対する代替手段が提供される。通常のシール構成物は、ハウジングシール部材がその上に配置されるシール支持体を含む。シール支持体は、通常は、媒体パックの出口流れ面から軸方向に外側に突き出て配置されている。
【０２０２】
エアクリーナアセンブリは、少なくとも第１突起/受容部構成物を含んでいる。第１突起/受容部構成物は、その間に受容部空間を画定する少なくとも第１側壁部と第２側壁部である、ハウジングの第１内部壁に固定された第１受容部部材を含んでいる。第１受容部部材の第１側壁部と第２側壁部とは、互いに非平行である。また、第１突起/受容部構成物は、第１の取外しと取替え可能な基本フィルタカートリッジ上に配置され、第１受容部部材の第１側壁部と第２側壁部の間で間隔をあけて配置されている受容部内で少なくともその一部に向けられた突起部材を含んでいる。示された実施例では、第１突起部材は、取り付けられると、受容部パケットの第１側壁部と第２側壁部の１つと係合して配置される。
【０２０３】
通常は、第１突起/受容部構成物の第１突起部材は、互いに非平行な少なくとも第１側壁部と第２側壁部とを含む。
【０２０４】
通常は、アクセスカバーは、第１突起/受容部構成物の第１受容部部材に対して、第１突起/受容部構成物の第１突起部材が取り付けられた位置から傾いて離れるのを防ぐように配置された第１支持体構成物を含んでいる。取り付け位置は、ハウジングシール構成物がハウジング内の環状シール支持体にシールされた状態でフィルタカートリッジが配置される位置である。
【０２０５】
示された実施例に対して、第１突起部材は、頂点が一般に、入口流れ面と出口流れ面との間の方向（いくらか垂直方向に）を一般に横切る方向に、すなわち、一般に、アクセスカバーから離れかつフィルタカートリッジの曲線状側端部に向かう方向に、配向された頂点を持つＶ形状を持っている。また、示された実施例では、第１受容部部材の第１側壁部と第２側壁部は、アクセスカバーに向かって伸び互いに分かれている。
【０２０６】
示された実施例において、第２突起/受容部構成物は、第１突起/受容部構成物からフィルタカートリッジの対向する側部上に提供される。第２突起/受容部構成物は、第１突起/受容部構成物の鏡像として通常配置される。
【０２０７】
示された実施例において、第１突起/受容部構成物と第２突起/受容部構成物の突起部材は、それぞれが、第１側壁部と第２側壁部との間に配置された第３の側壁を含む。
【０２０８】
また、一般に、エアフィルタカートリッジが提供される。図６〜２０の実施例のフィルタカートリッジと同じように、エアフィルタカートリッジは、入口流れ面と対向する出口流れ面を持つ媒体パックを含んでいる。媒体パックは、入口流れ面と対向する出口流れ面との間に延びている複数の縦溝流路を含む。媒体パックは、入口流れ面と出口流れ面の間で媒体パックを通過する濾過されていない空気が通り抜けないように閉じている。
【０２０９】
シール部材は、出口流れ面に隣接して提供され、半径方向外側に向けられた半径方向シール表面を含む。さまざまなシール表面を持つ構成物が可能である。示された実施例では、ハウジングシール部材は、フィルタカートリッジの出口流れ面から外側に突き出るシール支持体の周囲に取り付けられている。
【０２１０】
図６〜２０の構成物と同じようなプリフォーム支持体が入口流れ面に隣接する媒体パック上に配置される。プリフォーム支持体は、媒体パックの長さの通常は５０％未満で出口流れ面に向かって延びており、通常はその３５％未満で延びており、および入口流れ面１００ｍｍの距離内で延びている。
【０２１１】
プリフォーム支持体は、プリフォーム支持体上に第１突起/受容部構成物の第１部材を含んでいる。第１部材は、非平行な部分を持ちかつ互いに分かれる、第１側壁部と第２側壁部含む第１突起部材を含む。
【０２１２】
示された実施例では、媒体パックは、対向する側部上に曲線状側端部を持つ楕円形の外側周囲形状である。第１突起部材の第１と第２壁部は、一般に、楕円形の外側の周囲形状の波形の曲線状側端部の１つに向かって伸び互いに分かれている。
【０２１３】
媒体パックは、通常は、対面シートに固定され、対面シートが外側に向けられた状態で巻きつけられている縦溝流路付きシートを含む。媒体パックの対向する側部は通常はまっすぐである。
【０２１４】
プリフォーム支持体は、媒体パックの曲線状端部でオーバラップして配置されるハンドル部材を含むことができる。
【０２１５】
示された実施例では、プリフォーム支持体は、その上に第１突起/受容部構成物の第１突起部材から媒体パックの対向する側部上で、その鏡像として一般に配向されている第２突起/受容部部材の第１部材を含んでいる。
【０２１６】
別の特徴付けにおいて、エアフィルタカートリッジは、楕円形の周囲形状と、第１側部および対向する第２側部と、第１曲線状側部および対向する第２曲線状側部とともに、入口流れ面と対向する出口流れ面とを有する媒体パックを提供する。媒体パックは、入口流れ面と出口流れ面との間で延びている複数の縦溝流路を含む。媒体パックは、入口流れ面と出口流れ面の間で媒体パックを通過する濾過されていない空気が通り抜けないように閉じている。シール部材は、半径方向外側に向けられた半径方向シール表面を含む媒体パック上に配置されている。
【０２１７】
第１突起/受容部構成物の第１部材は、入口流れ面の１００ｍｍ以内の位置の媒体パック上に配置される。第１部材は、隣接している媒体パックから外側に延びている第１突起部材を含み、かつ（ａ）入口流れ面と出口流れ面の間に一般に向けられた第１突起壁セグメント（図６〜２０の実施例参照）と、（ｂ）入口流れ面と出口流れ面の間の方向に一般に交差する部分を持つ第２壁突起セグメント（図２０〜３３の実施例参照）と、のうちの少なくとも１つを含む。
【０２１８】
図２０〜３３に一致する実施例では、第１突起部材は、媒体パックの第１曲線状側端部と第２曲線状側端部の１つに向かって伸び互いに分かれる第１側壁セグメントと第２側壁セグメントを含む。
【０２１９】
フィルタカートリッジ上の第２突起部材は、第１突起部材の鏡像として配向されて、提供することができる。
【０２２０】
通常は、突起部材は、入口流れ面に隣接する媒体パックの周囲に延びているプリフォーム支持体上に提供される。再び使用されるとき、プリフォーム支持体は、通常は、入口流れ面から出口流れ面まで５０％未満の距離で延びている。
【０２２１】
別の特徴付けにおいて、内部を画定し、空気流れ入口と、空気流れ出口と、空気流れ入口と空気流れ出口との間で基本フィルタカートリッジ収容部部分と、基本フィルタカートリッジ収容部部分中に配置された取外し可能なアクセスカバーとを有するハウジングを有するエアクリーナアセンブリが提供される。ハウジングの基本フィルタカートリッジ収容部部分は、その上に第１突起/受容部構成物の第１受容部部材とともに側壁部分を含み、第１受容部空間を画定する。第１受容部材は、その間に収容空間を画定する第１および第２側部部分を有する。
【０２２２】
第１の取外しと取替え可能な基本フィルタカートリッジはハウジング中に配置される。基本フィルタカートリッジは、入口流れ面と対向する出口流れ面を持っている媒体パックを含む。媒体パックは、入口流れ面と出口流れ面の間に延びている複数の縦溝流路を含む。媒体パックは、入口流れ面と出口流れ面の間で濾過されていない空気の通路に対して閉じられており、媒体パックは、フィルタカートリッジの出口面に隣接してその上に、かつハウジングに対してシールされたハウジング半径方向シール部材を含んでいる。
【０２２３】
第１突起/受容部構成物の第１部材は、フィルタカートリッジ上に配置され、隣接する媒体パックから半径方向外側に突き出ている第１突起部材を含む。フィルタカートリッジは、取り付けられる位置にフィルタカートリッジを移動し取り付けられた位置からフィルタカートリッジを移動するためにアクセスカバーを取り外すとき、ハウジングの基本フィルタカートリッジ収容部部分内に傾け可能である。取り付けられた位置にあると、ハウジングシール構成物は、ハウジング内のハウジングシール支持体にシールされる。
【０２２４】
アクセスカバーは、アクセスカバーがハウジング上に取り付けられるとき、フィルタカートリッジが取り付けられた位置から傾くのを防ぐ構造を含んでいる。
【０２２５】
図２０〜３１の実施例において、実施例の寸法が提供される。寸法は、使用可能な構成物の実施例のみに意味されるものであるが、別の寸法は使用可能である。示された実施例に対して示された寸法は、以下の通りである。図２１では、ＡＡ＝１１.６９インチ（２９.７ｃｍ）、図２２では、ＢＡ＝２３.４７インチ（５９.４ｃｍ）、ＢＢ＝１３.７２インチ（３４.８ｃｍ）、ＢＣ＝６.０インチ（１５.２ｃｍ）、図２８では、ＣＡ＝２.１７インチ（５.５ｃｍ）、ＣＢ＝４７°、ＣＣ＝１.６９インチ（４.３ｃｍ）、ＣＤ＝１.６１インチ（４.１ｃｍ）、ＣＥ＝０.３３インチ（０.８４ｃｍ）、図２９では、ＤＡ＝１３.１７インチ（３３.５ｃｍ）、ＤＢ＝９.９０インチ（２５.１ｃｍ）、図３０では、ＥＡ＝０．７５インチ（１.９ｃｍ）、ＥＢ＝０.７６インチ（１.９３ｃｍ）および、図３１では、ＦＡ＝１０.１７インチ（２５.８３ｃｍ）、ＦＢ＝１５.１７インチ（３８.５ｃｍ）である。他の寸法はスケールから得ることができる。
【０２２６】
本開示に基づく構成物が改良を含むように、本明細書に特徴付けられた特徴のすべてが、特定の構成物の中で合体する必要であるというわけではないことに注目される。
【図１】
2009541643.tif 000004
【図２】
2009541643.tif 000005
【図３】
2009541643.tif 000006
【図４】
2009541643.tif 000007
【図５】
2009541643.tif 000008
【図６】
2009541643.tif 000009
【図７】
2009541643.tif 000010
【図８】
2009541643.tif 000011
【図９】
2009541643.tif 000012
【図１０】
2009541643.tif 000013
【図１１】
2009541643.tif 000014
【図１２】
2009541643.tif 000015
【図１３】
2009541643.tif 000016
【図１４】
2009541643.tif 000017
【図１５】
2009541643.tif 000018
【図１６】
2009541643.tif 000019
【図１７】
2009541643.tif 000020
【図１８】
2009541643.tif 000021
【図１９】
2009541643.tif 000022
【図２０】
2009541643.tif 000023
【図２１】
2009541643.tif 000024
【図２２】
2009541643.tif 000025
【図２３】
2009541643.tif 000026
【図２４】
2009541643.tif 000027
【図２５】
2009541643.tif 000028
【図２６】
2009541643.tif 000029
【図２７】
2009541643.tif 000030
【図２８】
2009541643.tif 000031
【図２９】
2009541643.tif 000032
【図３０】
2009541643.tif 000033
【図３１】
2009541643.tif 000034
【図３２】
2009541643.tif 000035
【図３３】
2009541643.tif 000036
【国際調査報告】
2009541643.tif 000037
2009541643.tif 000038
2009541643.tif 000039
2009541643.tif 000040
2009541643.tif 000041